(57)【特許請求の範囲】
【請求項１】
ワイヤレス通信方法であって、前記方法は、
端末によって、第1の時間期間内に第1のネットワーク側デバイスにアップリンク情報を送信するステップと、
前記端末によって、第2の時間期間内に、第2のネットワーク側デバイスによって送信されたダウンリンク情報を受信するステップと
を含み、前記第1の時間期間および前記第2の時間期間は、同一の時間期間であり、
前記端末によって、第1の時間期間内に前記第1のネットワーク側デバイスにアップリンク情報を送信する前記ステップの前に、前記方法は、
前記端末によって、第1の端末状況情報を入手するステップであって、前記第1の端末状況情報は、前記端末の第1のバッファ状況と前記端末が全二重通信をサポートすることを示す情報とを含み、前記第1のバッファ状況は、前記第1のネットワーク側デバイスとのデータ伝送を実行するために前記端末によって割り振られたバッファ空間を表現するのに使用される、入手するステップと、
前記端末によって、前記第1の端末状況情報を前記第1のネットワーク側デバイスに送信するステップと
をさらに含み、
前記端末によって、第2の時間期間内に、前記第2のネットワーク側デバイスによって送信されたダウンリンク情報を受信する前記ステップの前に、前記方法は、
前記端末によって、第2の端末状況情報を入手するステップであって、前記第2の端末状況情報は、前記端末の第2のバッファ状況と前記端末が全二重通信をサポートすることを示す情報とを含み、前記第2のバッファ状況は、前記第2のネットワーク側デバイスとのデータ伝送を実行するために前記端末によって割り振られたバッファ空間を表現するのに使用される、入手するステップと、
前記端末によって、前記第2の端末状況情報を前記第2のネットワーク側デバイスに送信するステップと
をさらに含む、
方法。
【請求項２】
前記端末は、前記第1のネットワーク側デバイスと周波数分割複信モードにおいて通信し、前記方法は、
前記端末によって、前記第1のネットワーク側デバイスから前記端末へのチャネルの状態情報を入手するステップと、
前記端末によって、前記第1のネットワーク側デバイスから前記端末への前記チャネルの前記状態情報を前記第1のネットワーク側デバイスに送信するステップと
をさらに含む、請求項1に記載の方法。
【請求項３】
前記端末は、前記第2のネットワーク側デバイスと周波数分割複信モードにおいて通信し、前記方法は、
前記端末によって、前記第2のネットワーク側デバイスから前記端末へのチャネルの状態情報を入手するステップと、
前記端末によって、前記第2のネットワーク側デバイスから前記端末への前記チャネルの前記状態情報を前記第2のネットワーク側デバイスに送信するステップと
をさらに含む、請求項1に記載の方法。
【請求項４】
ワイヤレス通信方法であって、前記方法は、
第1のネットワーク側デバイスによって、伝送モード情報を入手するステップであって、前記伝送モード情報は、第1の時間期間内に、端末によって送信されたアップリンク情報を受信するように前記第1のネットワーク側デバイスに指示するのに使用される、入手するステップと、
前記第1のネットワーク側デバイスによって、前記第1の時間期間内に、前記伝送モード情報に従って、前記端末によって送信された前記アップリンク情報を受信するステップと
を含み、前記第1の時間期間および第2の時間期間は、同一の時間期間であり、前記第2の時間期間は、前記端末にダウンリンク情報を送信するために第2のネットワーク側デバイスによって使用され、
高周波通信システムは、コントローラをさらに含み、前記第1のネットワーク側デバイスによって、伝送モード情報を入手する前記ステップは、
前記第1のネットワーク側デバイスによって、前記端末によって送信された第1の端末状況情報を受信するステップであって、前記第1の端末状況情報は、前記端末の第1のバッファ状況と前記端末が全二重通信をサポートすることを示す情報とを含み、前記第1のバッファ状況は、前記第1のネットワーク側デバイスとのデータ伝送を実行するために前記端末によって割り振られたバッファ空間を表現するのに使用される、受信するステップと、
前記第1のネットワーク側デバイスによって、第1のチャネル状態情報を入手するステップであって、前記第1のチャネル状態情報は、前記第1のネットワーク側デバイスから前記端末へのチャネルの状態情報と前記端末から前記第1のネットワーク側デバイスへのチャネルの状態情報とを含む、入手するステップと、
前記コントローラが、前記第1の端末状況情報、前記第1のチャネル状態情報、第2の端末状況情報、および第2のチャネル状態情報に従って前記伝送モード情報を構成し、前記伝送モード情報を前記第1のネットワーク側デバイスに送信するようにするために、前記第1のネットワーク側デバイスによって、前記第1のチャネル状態情報および前記第1の端末状況情報を前記コントローラに送信するステップであって、前記第2の端末状況情報は、前記端末の第2のバッファ状況と前記端末が全二重通信をサポートすることを示す情報とを含み、前記第2のチャネル状態情報は、前記第2のネットワーク側デバイスから前記端末へのチャネルの状態情報と前記端末から前記第2のネットワーク側デバイスへのチャネルの状態情報とを含み、前記第2のバッファ状況は、前記第2のネットワーク側デバイスとのデータ伝送を実行するために前記端末によって割り振られたバッファ空間を表現するのに使用される、送信するステップと、
前記第1のネットワーク側デバイスによって、前記コントローラによって送信された前記伝送モード情報を受信するステップと
を特に含む、
方法。
【請求項５】
前記伝送モード情報は、前記端末によって送信され、前記第1の時間期間内に受信された前記アップリンク情報を前記第2のネットワーク側デバイスに送信するように前記第1のネットワーク側デバイスに指示するのにさらに使用され、前記方法は、
前記第1のネットワーク側デバイスが、前記第1の時間期間内に前記伝送モード情報に従って、前記端末によって送信された前記アップリンク情報を受信した後に、前記第1のネットワーク側デバイスによって、前記端末によって送信され、前記第1の時間期間内に受信された前記アップリンク情報を前記伝送モード情報に従って前記第2のネットワーク側デバイスに送信するステップ
をさらに含む、請求項4に記載の方法。
【請求項６】
前記伝送モード情報は、前記第2の時間期間内に前記第2のネットワーク側デバイスによって前記端末に送信される前記ダウンリンク情報を前記第2のネットワーク側デバイスに送信するように前記第1のネットワーク側デバイスに指示するのにさらに使用され、前記方法は、
前記第2のネットワーク側デバイスが前記伝送モード情報に従って前記第2の時間期間内に前記端末に前記ダウンリンク情報を送信する前に、前記第1のネットワーク側デバイスによって、前記伝送モード情報に従って前記第2のネットワーク側デバイスに、前記第2の時間期間内に前記第2のネットワーク側デバイスによって前記端末に送信される前記ダウンリンク情報を送信するステップ
をさらに含む、請求項4に記載の方法。
【請求項７】
前記第1のネットワーク側デバイスによって、伝送モード情報を入手する前記ステップは、
前記第1のネットワーク側デバイスによって、前記端末によって送信された第1の端末状況情報を受信するステップであって、前記第1の端末状況情報は、前記端末の第1のバッファ状況と前記端末が全二重通信をサポートすることを示す情報とを含む、受信するステップと、
前記第1のネットワーク側デバイスによって、第1のチャネル状態情報を入手するステップであって、前記第1のチャネル状態情報は、前記第1のネットワーク側デバイスから前記端末へのチャネルの状態情報と前記端末から前記第1のネットワーク側デバイスへのチャネルの状態情報とを含む、入手するステップと、
前記第1のネットワーク側デバイスによって、前記第2のネットワーク側デバイスによって送信された第2の端末状況情報および第2のチャネル状態情報を受信するステップであって、前記第2の端末状況情報は、前記端末の第2のバッファ状況と前記端末が全二重通信をサポートすることを示す情報とを含み、前記第2のチャネル状態情報は、前記第2のネットワーク側デバイスから前記端末へのチャネルの状態情報と前記端末から前記第2のネットワーク側デバイスへのチャネルの状態情報とを含む、受信するステップと、
前記第1のネットワーク側デバイスによって、前記第1の端末状況情報、前記第1のチャネル状態情報、前記第2の端末状況情報、および前記第2のチャネル状態情報に従って前記伝送モード情報を構成するステップと
を特に含む、請求項4から6のいずれか一項に記載の方法。
【請求項８】
前記第1のネットワーク側デバイスは、前記伝送モード情報を前記第2のネットワーク側デバイスに送信する、請求項7に記載の方法。
【請求項９】
前記第1のネットワーク側デバイスは、周波数分割複信モードにおいて前記端末と通信し、前記第1のネットワーク側デバイスは、前記第1のチャネル状態情報を入手し、前記方法は、
前記第1のネットワーク側デバイスによって、前記端末によって送信された、前記第1のネットワーク側デバイスから前記端末への前記チャネルの前記状態情報を受信するステップ
をさらに含む、請求項6に記載の方法。
【請求項１０】
端末であって、
第1の時間期間内に第1のネットワーク側デバイスにアップリンク情報を送信するように構成された送信ユニットと、
第2の時間期間内に、第2のネットワーク側デバイスによって送信されたダウンリンク情報を受信するように構成された受信ユニットと
を含み、前記第1の時間期間および前記第2の時間期間は、同一の時間期間であり、
前記端末は、
第1の端末状況情報を入手するように構成された入手ユニットであって、前記第1の端末状況情報は、前記端末の第1のバッファ状況と前記端末が全二重通信をサポートすることを示す情報とを含み、前記第1のバッファ状況は、前記第1のネットワーク側デバイスとのデータ伝送を実行するために前記端末によって割り振られたバッファ空間を表現するのに使用される、入手ユニット
をさらに含み、前記送信ユニットは、前記第1の端末状況情報を前記入手ユニットから受信し、前記第1の端末状況情報を前記第1のネットワーク側デバイスに送信するようにさらに構成され、
前記入手ユニットは、第2の端末状況情報を入手するようにさらに構成され、前記第2の端末状況情報は、前記端末の第2のバッファ状況と前記端末が全二重通信をサポートすることを示す情報とを含み、前記第2のバッファ状況は、前記第2のネットワーク側デバイスとのデータ伝送を実行するために前記端末によって割り振られたバッファ空間を表現するのに使用され、
前記送信ユニットは、前記第2の端末状況情報を前記入手ユニットから受信し、前記第2の端末状況情報を前記第2のネットワーク側デバイスに送信するようにさらに構成される
端末。
【請求項１１】
前記端末は、前記第1のネットワーク側デバイスと周波数分割複信モードにおいて通信し、
前記入手ユニットは、前記第1のネットワーク側デバイスから前記端末へのチャネルの状態情報を入手するようにさらに構成され、
前記送信ユニットは、前記第1のネットワーク側デバイスから前記端末への前記チャネルの前記状態情報を前記入手ユニットから受信し、前記第1のネットワーク側デバイスから前記端末への前記チャネルの前記状態情報を前記第1のネットワーク側デバイスに送信するようにさらに構成される
請求項10に記載の端末。
【請求項１２】
前記端末は、前記第2のネットワーク側デバイスと周波数分割複信モードにおいて通信し、
前記入手ユニットは、前記第2のネットワーク側デバイスから前記端末へのチャネルの状態情報を入手するようにさらに構成され、
前記送信ユニットは、前記第2のネットワーク側デバイスから前記端末への前記チャネルの前記状態情報を前記入手ユニットから受信し、前記第2のネットワーク側デバイスから前記端末への前記チャネルの前記状態情報を前記第2のネットワーク側デバイスに送信するようにさらに構成される
請求項10に記載の端末。
【請求項１３】
第1のネットワーク側デバイスであって、
伝送モード情報を入手するように構成された入手ユニットであって、前記伝送モード情報は、第1の時間期間内に、端末によって送信されたアップリンク情報を受信するように前記第1のネットワーク側デバイスに指示するのに使用される、入手ユニットと、
前記入手ユニットから前記伝送モード情報を受信し、前記伝送モード情報に従って、前記端末によって送信された前記アップリンク情報を受信するように構成された受信ユニットと
を含み、前記第1の時間期間および第2の時間期間は、同一の時間期間であり、前記第2の時間期間は、前記端末にダウンリンク情報を送信するために第2のネットワーク側デバイスによって使用され、
高周波通信システムは、コントローラをさらに含み、
前記入手ユニットは、
前記端末によって送信された第1の端末状況情報を受信するように構成された受信サブユニットであって、前記第1の端末状況情報は、前記端末の第1のバッファ状況と前記端末が全二重通信をサポートすることを示す情報とを含み、前記第1のバッファ状況は、前記第1のネットワーク側デバイスとのデータ伝送を実行するために前記端末によって割り振られたバッファ空間を表現するのに使用される、受信サブユニットと、
第1のチャネル状態情報を入手するように構成された入手サブユニットであって、前記第1のチャネル状態情報は、前記第1のネットワーク側デバイスから前記端末へのチャネルの状態情報と前記端末から前記第1のネットワーク側デバイスへのチャネルの状態情報と
を含む、入手サブユニットと、
前記コントローラが、前記第1の端末状況情報、前記第1のチャネル状態情報、第2の端末状況情報、および第2のチャネル状態情報に従って前記伝送モード情報を構成し、前記伝送モード情報を前記第1のネットワーク側デバイスに送信するようにするために、前記第1の端末状況情報を前記受信サブユニットから受信し、前記第1のチャネル状態情報を前記入手サブユニットから受信し、前記第1の端末状況情報および前記第1のチャネル状態情報を前記コントローラに送信するように構成された送信サブユニットであって、前記第2の端末状況情報は、前記端末の第2のバッファ状況と前記端末が全二重通信をサポートすることを示す情報とを含み、前記第2のチャネル状態情報は、前記第2のネットワーク側デバイスから前記端末へのチャネルの状態情報と前記端末から前記第2のネットワーク側デバイスへのチャネルの状態情報とを含み、前記第2のバッファ状況は、前記第2のネットワーク側デバイスとのデータ伝送を実行するために前記端末によって割り振られたバッファ空間を表現するのに使用される、送信サブユニットと
を含み、前記受信サブユニットは、前記コントローラによって送信された前記伝送モード情報を受信するようにさらに構成される
第1のネットワーク側デバイス。
【請求項１４】
前記伝送モード情報は、前記端末によって送信され、前記第1の時間期間内に受信された前記アップリンク情報を前記第2のネットワーク側デバイスに送信するように前記第1のネットワーク側デバイスに指示するのにさらに使用され、前記第1のネットワーク側デバイスは、
前記伝送モード情報を前記入手ユニットから受信し、前記端末によって送信され、前記第1の時間期間内に前記受信ユニットによって受信された前記アップリンク情報を前記伝送モード情報に従って前記第2のネットワーク側デバイスに送信するように構成された送信ユニット
をさらに含む、請求項13に記載の第1のネットワーク側デバイス。
【請求項１５】
前記伝送モード情報は、前記第2の時間期間内に前記第2のネットワーク側デバイスによって前記端末に送信される前記ダウンリンク情報を前記第2のネットワーク側デバイスに送信するように前記第1のネットワーク側デバイスに指示するのにさらに使用され、前記第1のネットワーク側デバイスは、
前記伝送モード情報を前記入手ユニットから受信し、前記伝送モード情報に従って前記第2のネットワーク側デバイスに、前記第2の時間期間内に前記第2のネットワーク側デバイスによって前記端末に送信される前記ダウンリンク情報を送信するように構成された送信ユニット
をさらに含む、請求項13に記載の第1のネットワーク側デバイス。
【請求項１６】
前記受信サブユニットは、前記端末によって送信された第1の端末状況情報を受信するようにさらに構成され、前記第1の端末状況情報は、前記端末の第1のバッファ状況と前記端末が全二重通信をサポートすることを示す情報とを含み、前記第1のバッファ状況は、前記第1のネットワーク側デバイスとのデータ伝送を実行するために前記端末によって割り振られたバッファ空間を表現するのに使用され、
前記入手サブユニットは、第1のチャネル状態情報を入手するようにさらに構成され、前記第1のチャネル状態情報は、前記第1のネットワーク側デバイスから前記端末へのチャネルの状態情報と前記端末から前記第1のネットワーク側デバイスへのチャネルの状態情報とを含み、
前記受信サブユニットは、前記第2のネットワーク側デバイスによって送信された第2の端末状況情報および第2のチャネル状態情報を受信するようにさらに構成され、前記第2の端末状況情報は、前記端末の第2のバッファ状況と前記端末が全二重通信をサポートすることを示す情報とを含み、前記第2のチャネル状態情報は、前記第2のネットワーク側デバイスから前記端末へのチャネルの状態情報と前記端末から前記第2のネットワーク側デバイスへのチャネルの状態情報とを含み、前記第2のバッファ状況は、前記第2のネットワーク側デバイスとのデータ伝送を実行するために前記端末によって割り振られたバッファ空間を表現するのに使用され、
前記入手ユニットは、
前記第1の端末状況情報、前記第2の端末状況情報、および前記第2のチャネル状態情報を前記受信サブユニットから受信し、前記第1のチャネル状態情報を前記入手サブユニットから受信し、前記第1の端末状況情報、前記第1のチャネル状態情報、前記第2の端末状況情報、および前記第2のチャネル状態情報に従って前記伝送モード情報を構成するように構成された構成サブユニット
を含む、請求項13から15のいずれか一項に記載の第1のネットワーク側デバイス。
【請求項１７】
前記送信サブユニットは、前記伝送モード情報を前記構成サブユニットから受信し、前記伝送モード情報を前記第2のネットワーク側デバイスに送信するように構成される、請求項16に記載の第1のネットワーク側デバイス。
【請求項１８】
前記第1のネットワーク側デバイスは、周波数分割複信モードにおいて前記端末と通信し、
前記受信サブユニットは、前記端末によって送信された、前記第1のネットワーク側デバイスから前記端末への前記チャネルの前記状態情報を受信するようにさらに構成される
請求項15から17のいずれか一項に記載の第1のネットワーク側デバイス。
【発明の詳細な説明】
【技術分野】
【０００１】
本発明の実施形態は、通信技術の分野に関し、具体的には、ワイヤレス通信方法、デバイス、およびシステムに関する。
【背景技術】
【０００２】
スマートフォンおよびタブレットコンピュータなどの端末の大規模な流行に伴って、セルラーアクセス速度が、指数関数的に増加し、従来の低周波無線アクセス技術は、増大するアクセス速度要求を満足することがますますできなくなる。
【０００３】
アクセス速度を改善するために、高密度基地局の方法が現在使用されており、その結果、各基地局のカバレージは、より小さくなり、基地局は、より密になって、単位カバレージ内の端末により高いアクセス速度を提供するようになる。たとえば、第1の基地局eNB1に対応する第1のセルcell1のカバレージが、1平方キロメートルであり、第1のセルcell1内に70個の端末があり、eNB1は、7Gbpsのアクセス速度を提供することができる場合に、各端末は、平均100Mbpsのアクセス速度を入手することができる。図1内に示されているように、7つの基地局が、cell1によってカバーされる1平方キロメートル内に構成される場合に、7つの基地局(eNB2からeNB8)に対応する7つのセル(cell2からcell8)は、eNB1に対応する元のセルcell1を合同でカバーし、eNB2からeNB8の各基地局に対応するセルは、cell1の1/7をカバーし、70個の端末が、cell2からcell8によってカバーされるエリア内に均等に分布する場合には、eNB2からeNB8の各基地局は、平均して10個の端末のために働く。この場合に、eNB2からeNB8の各基地局が、7Gbpsのアクセス速度を提供する場合に、各端末は、平均700Mbpsのアクセス速度を入手することができる。
【０００４】
しかし、高密度基地局の現在使用されている方法では、基地局が密なので、隣接するセルの間のセル間干渉(英語:Inter-Cell Interference、略してICI)は、より強く、セルエッジユーザの性能は、劣化する。その結果、セル容量の拡張は、大幅に制限される。図1内に示されているように、隣接する基地局に対応する隣接するセルの間に、オーバーラップエリアがある。端末がオーバーラップエリア内に配置される時に、端末が基地局によって送信されたダウンリンク情報を受信する時に、端末は、隣接するセルの基地局によって送信されたダウンリンク情報からの干渉すなわちICIを受ける。
【発明の概要】
【課題を解決するための手段】
【０００５】
本発明は、隣接するセルの間の、端末に対するセル間干渉を除去するか低減するワイヤレス通信方法、デバイス、およびシステムを提供する。
【０００６】
前述の目的を達成するために、以下の技術的解決策が、本発明の実施形態において使用される。
【０００７】
第1の態様によれば、ワイヤレス通信方法が提供され、この方法は、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、方法は、
端末によって、第1の時間期間内に第1のネットワーク側デバイスにアップリンク情報を送信するステップと、
端末によって、第2の時間期間内に、第2のネットワーク側デバイスによって送信されたダウンリンク情報を受信するステップと
を含み、第1の時間期間および第2の時間期間は、同一の時間期間である。
【０００８】
第1の態様に関連して、第1の可能な実施の形において、端末によって、第1の時間期間内に第1のネットワーク側デバイスにアップリンク情報を送信するステップの前に、この方法は、
端末によって、第1の端末状況情報を入手するステップであって、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される、入手するステップと、
端末によって、第1の端末状況情報を第1のネットワーク側デバイスに送信するステップと
をさらに含む。
【０００９】
第1の態様に関連して、第2の可能な実施の形において、端末は、第1のネットワーク側デバイスと周波数分割複信モードにおいて通信し、この方法は、
端末によって、第1のネットワーク側デバイスから端末へのチャネルの状態情報を入手するステップと、
端末によって、第1のネットワーク側デバイスから端末へのチャネルの状態情報を第1のネットワーク側デバイスに送信するステップと
をさらに含む。
【００１０】
第1の態様に関連して、第3の可能な実施の形において、端末によって、第2の時間期間内に、第2のネットワーク側デバイスによって送信されたダウンリンク情報を受信するステップの前に、この方法は、
端末によって、第2の端末状況情報を入手するステップであって、第2の端末状況情報は、端末の第2のバッファ状況と端末が全二重通信をサポートすることを示す情報とを含み、第2のバッファ状況は、第2のネットワーク側デバイスとのデータ伝送を実行するために端末によって割り振られたバッファ空間を表現するのに使用される、入手するステップと、
端末によって、第2の端末状況情報を第2のネットワーク側デバイスに送信するステップと
をさらに含む。
【００１１】
第1の態様に関連して、第4の可能な実施の形において、端末は、第2のネットワーク側デバイスと周波数分割複信モードにおいて通信し、この方法は、
端末によって、第2のネットワーク側デバイスから端末へのチャネルの状態情報を入手するステップと、
端末によって、第2のネットワーク側デバイスから端末へのチャネルの状態情報を第2のネットワーク側デバイスに送信するステップと
をさらに含む。
【００１２】
第2の態様によれば、ワイヤレス通信方法が提供され、この方法は、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、第2のネットワーク側デバイスは、第2の時間期間内に端末にダウンリンク情報を送信し、この方法は、
第1のネットワーク側デバイスによって、伝送モード情報を入手するステップであって、伝送モード情報は、第1の時間期間内に、端末によって送信されたアップリンク情報を受信するように第1のネットワーク側デバイスに指示するのに使用される、入手するステップと、
第1のネットワーク側デバイスによって、第1の時間期間内に、伝送モード情報に従って、端末によって送信されたアップリンク情報を受信するステップと
を含み、第1の時間期間および第2の時間期間は、同一の時間期間である。
【００１３】
第2の態様に関連して、第1の可能な実施の形において、伝送モード情報は、端末によって送信され、第1の時間期間内に受信されたアップリンク情報を第2のネットワーク側デバイスに送信するように第1のネットワーク側デバイスに指示するのにさらに使用され、この方法は、
第1のネットワーク側デバイスが、第1の時間期間内に伝送モード情報に従って、端末によって送信されたアップリンク情報を受信した後に、第1のネットワーク側デバイスによって、端末によって送信され、第1の時間期間内に受信されたアップリンク情報を伝送モード情報に従って第2のネットワーク側デバイスに送信するステップ
をさらに含む。
【００１４】
第2の態様に関連して、第2の可能な実施の形において、伝送モード情報は、第2の時間期間内に第2のネットワーク側デバイスによって端末に送信されたダウンリンク情報を第2のネットワーク側デバイスに送信するように第1のネットワーク側デバイスに指示するのにさらに使用され、この方法は、
第2のネットワーク側デバイスが伝送モード情報に従って第2の時間期間内に端末にダウンリンク情報を送信する前に、第1のネットワーク側デバイスによって、伝送モード情報に従って第2のネットワーク側デバイスに、第2の時間期間内に第2のネットワーク側デバイスによって端末に送信されたダウンリンク情報を送信するステップ
をさらに含む。
【００１５】
第2の態様、第1の可能な実施の形、または第2の可能な実施の形のいずれかに関連して、第3の可能な実施の形において、高周波通信システムは、コントローラをさらに含み、第1のネットワーク側デバイスによって、伝送モード情報を入手するステップは、
第1のネットワーク側デバイスによって、端末によって送信された第1の端末状況情報を受信するステップであって、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される、受信するステップと、
第1のネットワーク側デバイスによって、第1のチャネル状態情報を入手するステップであって、第1のチャネル状態情報は、第1のネットワーク側デバイスから端末へのチャネルの状態情報と端末から第1のネットワーク側デバイスへのチャネルの状態情報とを含む、入手するステップと、
コントローラが、第2の端末状況情報、第2のチャネル状態情報、第1の端末状況情報、および第1のチャネル状態情報に従って伝送モード情報を構成し、伝送モード情報を第1のネットワーク側デバイスに送信するようにするために、第1のネットワーク側デバイスによって、第1のネットワーク側デバイスから端末へのチャネルの第1の状態情報および第1の端末状況情報をコントローラに送信するステップであって、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される、送信するステップと、
第1のネットワーク側デバイスによって、コントローラによって送信された伝送モード情報を受信するステップと
を特に含む。
【００１６】
第2の態様、第1の可能な実施の形、または第2の可能な実施の形のいずれかに関連して、第4の可能な実施の形において、第1のネットワーク側デバイスによって、伝送モード情報を入手するステップは、
第1のネットワーク側デバイスによって、端末によって送信された第1の端末状況情報を受信するステップであって、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される、受信するステップと、
第1のネットワーク側デバイスによって、第1のチャネル状態情報を入手するステップであって、第1のチャネル状態情報は、第1のネットワーク側デバイスから端末へのチャネルの状態情報と端末から第1のネットワーク側デバイスへのチャネルの状態情報とを含む、入手するステップと、
第1のネットワーク側デバイスによって、第2のネットワーク側デバイスによって送信された第2の端末状況情報および第2のチャネル状態情報を受信するステップであって、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される、受信するステップと、
第1のネットワーク側デバイスによって、第1の端末状況情報、第1のチャネル状態情報、第2の端末状況情報、および第2のチャネル状態情報に従って伝送モード情報を構成するステップと
を特に含む。
【００１７】
第4の可能な実施の形に関連して、第5の可能な実施の形において、第1のネットワーク側デバイスは、伝送モード情報を第2のネットワーク側デバイスに送信する。
【００１８】
第3から第5の可能な実施の形に関連して、第6の可能な実施の形において、第1のネットワーク側デバイスは、周波数分割複信モードにおいて端末と通信し、第1のネットワーク側デバイスは、第1のチャネル状態情報を入手し、この方法は、
第1のネットワーク側デバイスによって、端末によって送信された、第1のネットワーク側デバイスから端末へのチャネルの状態情報を受信するステップ
をさらに含む。
【００１９】
第3の態様によれば、ワイヤレス通信方法が提供され、この方法は、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、第1のネットワーク側デバイスは、第1の時間期間内に、端末によって送信されたアップリンク情報を受信し、この方法は、
第2のネットワーク側デバイスによって、伝送モード情報を入手するステップであって、伝送モード情報は、第2の時間期間内に端末にダウンリンク情報を送信するように第2のネットワーク側デバイスに指示するのに使用される、入手するステップと、
第2のネットワーク側デバイスによって、伝送モード情報に従って第2の時間期間内に端末にダウンリンク情報を送信するステップと
を含み、第1の時間期間および第2の時間期間は、同一の時間期間である。
【００２０】
第3の態様に関連して、第1の可能な実施の形において、伝送モード情報は、端末によって送信され、第1の時間期間内に第1のネットワーク側デバイスによって受信され、第1のネットワーク側デバイスによって送信されるアップリンク情報を受信するように第2のネットワーク側デバイスに指示するのにさらに使用され、この方法は、
第1のネットワーク側デバイスが、第1の時間期間内に伝送モード情報に従って、端末によって送信されたアップリンク情報を受信した後に、第2のネットワーク側デバイスによって、伝送モード情報に従って、端末によって送信され、第1の時間期間内に第1のネットワーク側デバイスによって受信され、第1のネットワーク側デバイスによって送信されたアップリンク情報を受信するステップ
をさらに含む。
【００２１】
第3の態様に関連して、第2の可能な実施の形において、伝送モード情報は、第1のネットワーク側デバイスによって送信され、第2の時間期間内に第2のネットワーク側デバイスによって端末に送信されるダウンリンク情報を受信するように第2のネットワーク側デバイスに指示するのにさらに使用され、この方法は、
第2のネットワーク側デバイスが、第2の時間期間内に伝送モード情報に従って端末にダウンリンク情報を送信する前に、第2のネットワーク側デバイスによって、伝送モード情報に従って、第1のネットワーク側デバイスによって送信され、第2の時間期間内に第2のネットワーク側デバイスによって端末に送信されるダウンリンク情報を受信するステップ
をさらに含む。
【００２２】
第4の態様によれば、端末が提供され、この端末は、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、
この端末は、
第1の時間期間内に第1のネットワーク側デバイスにアップリンク情報を送信するように構成された送信ユニットと、
第2の時間期間内に、第2のネットワーク側デバイスによって送信されたダウンリンク情報を受信するように構成された受信ユニットと
を含み、第1の時間期間および第2の時間期間は、同一の時間期間である。
【００２３】
第4の態様に関連して、第1の可能な実施の形において、この端末は、
第1の端末状況情報を入手するように構成された入手ユニットであって、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される、入手ユニット
をさらに含み、送信ユニットは、第1の端末状況情報を入手ユニットから受信し、第1の端末状況情報を第1のネットワーク側デバイスに送信するようにさらに構成される。
【００２４】
第4の態様に関連して、第2の可能な実施の形において、この端末は、第1のネットワーク側デバイスと周波数分割複信モードにおいて通信し、この端末は、
第1のネットワーク側デバイスから端末へのチャネルの状態情報を入手するように構成された入手ユニット
をさらに含み、送信ユニットは、第1のネットワーク側デバイスから端末へのチャネルの状態情報を入手ユニットから受信し、第1のネットワーク側デバイスから端末へのチャネルの状態情報を第1のネットワーク側デバイスに送信するようにさらに構成される。
【００２５】
第4の態様に関連して、第3の可能な実施の形において、この端末は、
第2の端末状況情報を入手するように構成された入手ユニットであって、第2の端末状況情報は、端末の第2のバッファ状況と端末が全二重通信をサポートすることを示す情報とを含み、第2のバッファ状況は、第2のネットワーク側デバイスとのデータ伝送を実行するために端末によって割り振られたバッファ空間を表現するのに使用される、入手ユニット
をさらに含み、送信ユニットは、第2の端末状況情報を入手ユニットから受信し、第2の端末状況情報を第2のネットワーク側デバイスに送信するようにさらに構成される。
【００２６】
第4の態様に関連して、第4の可能な実施の形において、この端末は、第2のネットワーク側デバイスと周波数分割複信モードにおいて通信し、この端末は、
第2のネットワーク側デバイスから端末へのチャネルの状態情報を入手するように構成された入手ユニット
をさらに含み、送信ユニットは、第2のネットワーク側デバイスから端末へのチャネルの状態情報を入手ユニットから受信し、第2のネットワーク側デバイスから端末へのチャネルの状態情報を第2のネットワーク側デバイスに送信するようにさらに構成される。
【００２７】
第5の態様によれば、第1のネットワーク側デバイスが提供され、この第1のネットワーク側デバイスは、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、第2のネットワーク側デバイスは、第2の時間期間内に端末にダウンリンク情報を送信し、このネットワーク側デバイスは、
伝送モード情報を入手するように構成された入手ユニットであって、伝送モード情報は、第1の時間期間内に、端末によって送信されたアップリンク情報を受信するように第1のネットワーク側デバイスに指示するのに使用される、入手ユニットと、
入手ユニットから伝送モード情報を受信し、伝送モード情報に従って、端末によって送信されたアップリンク情報を受信するように構成された受信ユニットと
を含み、第1の時間期間および第2の時間期間は、同一の時間期間である。
【００２８】
第5の態様に関連して、第1の可能な実施の形において、伝送モード情報は、端末によって送信され、第1の時間期間内に受信されたアップリンク情報を第2のネットワーク側デバイスに送信するように第1のネットワーク側デバイスに指示するのにさらに使用され、この第1のネットワーク側デバイスは、
伝送モード情報を入手ユニットから受信し、端末によって送信され、第1の時間期間内に受信ユニットによって受信されたアップリンク情報を伝送モード情報に従って第2のネットワーク側デバイスに送信するように構成された送信ユニット
をさらに含む。
【００２９】
第5の態様に関連して、第2の可能な実施の形において、伝送モード情報は、第2の時間期間内に第2のネットワーク側デバイスによって端末に送信されたダウンリンク情報を第2のネットワーク側デバイスに送信するように第1のネットワーク側デバイスに指示するのにさらに使用され、この第1のネットワーク側デバイスは、
伝送モード情報を入手ユニットから受信し、伝送モード情報に従って第2のネットワーク側デバイスに、第2の時間期間内に第2のネットワーク側デバイスによって端末に送信されたダウンリンク情報を送信するように構成された送信ユニット
をさらに含む。
【００３０】
第5の態様、第1の可能な実施の形、または第2の可能な実施の形に関連して、第3の可能な実施の形において、高周波通信システムは、コントローラをさらに含み、
入手ユニットは、
端末によって送信された第1の端末状況情報を受信するように構成された受信サブユニットであって、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される、受信サブユニットと、
第1のチャネル状態情報を入手するように構成された入手サブユニットであって、第1のチャネル状態情報は、第1のネットワーク側デバイスから端末へのチャネルの状態情報と端末から第1のネットワーク側デバイスへのチャネルの状態情報とを含む、入手サブユニットと、
コントローラが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、第1の端末状況情報を受信サブユニットから受信し、第1のチャネル状態情報を入手サブユニットから受信し、第1の端末状況情報および第1のチャネル状態情報をコントローラに送信するように構成された送信サブユニットであって、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される、送信サブユニットと
を含み、受信サブユニットは、コントローラによって送信された伝送モード情報を受信するようにさらに構成される。
【００３１】
第5の態様、第1の可能な実施の形、または第2の可能な実施の形に関連して、第4の可能な実施の形において、入手ユニットは、
端末によって送信された第1の端末状況情報を受信するように構成された受信サブユニットであって、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される、受信サブユニットと、
第1のチャネル状態情報を入手するように構成された入手サブユニットであって、第1のチャネル状態情報は、第1のネットワーク側デバイスから端末へのチャネルの状態情報と端末から第1のネットワーク側デバイスへのチャネルの状態情報とを含む、入手サブユニットであって、
受信サブユニットは、第2のネットワーク側デバイスによって送信された第2の端末状況情報および第2のチャネル状態情報を受信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される
入手サブユニットと、
第1の端末状況情報、第2の端末状況情報、および第2のチャネル状態情報を受信サブユニットから受信し、第1のチャネル状態情報を入手サブユニットから受信し、第1の端末状況情報、第1のチャネル状態情報、第2の端末状況情報、および第2のチャネル状態情報に従って伝送モード情報を構成するように構成された構成サブユニットと
を含む。
【００３２】
第4の可能な実施の形に関連して、第5の可能な実施の形において、入手ユニットは、
伝送モード情報を構成サブユニットから受信し、伝送モード情報を第2のネットワーク側デバイスに送信するように構成された送信サブユニット
をさらに含む。
【００３３】
第3から第5の可能な実施の形のいずれかに関連して、第6の可能な実施の形において、第1のネットワーク側デバイスは、周波数分割複信モードにおいて端末と通信し、
受信サブユニットは、端末によって送信された、第1のネットワーク側デバイスから端末へのチャネルの状態情報を受信するようにさらに構成される。
【００３４】
第6の態様によれば、第2のネットワーク側デバイスが提供され、このネットワーク側デバイスは、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、第1のネットワーク側デバイスは、第1の時間期間内に、端末によって送信されたアップリンク情報を受信し、このネットワーク側デバイスは、
伝送モード情報を入手するように構成された入手ユニットであって、伝送モード情報は、第2の時間期間内に端末にダウンリンク情報を送信するように第2のネットワーク側デバイスに指示するのに使用される、入手ユニットと、
伝送モード情報を入手ユニットから受信し、伝送モード情報に従って第2の時間期間内に端末にダウンリンク情報を送信するように構成された送信ユニットと
を含み、第1の時間期間および第2の時間期間は、同一の時間期間である。
【００３５】
第6の態様に関連して、第1の可能な実施の形において、伝送モード情報は、端末によって送信され、第1の時間期間内に第1のネットワーク側デバイスによって受信され、第1のネットワーク側デバイスによって送信されるアップリンク情報を受信するように第2のネットワーク側デバイスに指示するのにさらに使用され、このネットワーク側デバイスは、
伝送モード情報を入手ユニットから受信し、伝送モード情報に従って、端末によって送信され、第1の時間期間内に第1のネットワーク側デバイスによって受信され、第1のネットワーク側デバイスによって送信されたアップリンク情報を受信するように構成された受信ユニット
をさらに含む。
【００３６】
第6の態様に関連して、第2の可能な実施の形において、伝送モード情報は、第1のネットワーク側デバイスによって送信され、第2の時間期間内に第2のネットワーク側デバイスによって端末に送信されるダウンリンク情報を受信するように第2のネットワーク側デバイスに指示するのにさらに使用され、このネットワーク側デバイスは、
伝送モード情報を入手ユニットから受信し、伝送モード情報に従って、第1のネットワーク側デバイスによって送信され、第2の時間期間内に第2のネットワーク側デバイスによって端末に送信されるダウンリンク情報を受信するように構成された受信ユニット
をさらに含む。
【００３７】
第7の態様によれば、端末が提供され、この端末は、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、端末は、受信器、送信器、メモリ、プロセッサ、およびバスを含み、受信器、送信器、メモリ、およびプロセッサは、バスを使用することによって接続され、相互通信を実施し、メモリは、プロセッサによって処理されるデータを記憶するように構成され、
送信器は、第1の時間期間内に第1のネットワーク側デバイスにアップリンク情報を送信するように構成され、
受信器は、第2の時間期間内に、第2のネットワーク側デバイスによって送信されたダウンリンク情報を受信するように構成され、
第1の時間期間および第2の時間期間は、同一の時間期間である。
【００３８】
第7の態様に関連して、第1の可能な実施の形において、プロセッサは、第1の端末状況情報を入手するように構成され、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用され、
送信器は、第1の端末状況情報をプロセッサから受信し、第1の端末状況情報を第1のネットワーク側デバイスに送信するように構成される。
【００３９】
第7の態様に関連して、第2の可能な実施の形において、この端末は、第1のネットワーク側デバイスと周波数分割複信モードにおいて通信し、
プロセッサは、第1のネットワーク側デバイスから端末へのチャネルの状態情報を入手するように構成され、
送信器は、第1のネットワーク側デバイスから端末へのチャネルの状態情報をプロセッサから受信し、第1のネットワーク側デバイスから端末へのチャネルの状態情報を第1のネットワーク側デバイスに送信するようにさらに構成される。
【００４０】
第7の態様に関連して、第3の可能な実施の形において、プロセッサは、第2の端末状況情報を入手するように構成され、第2の端末状況情報は、端末の第2のバッファ状況と端末が全二重通信をサポートすることを示す情報とを含み、第2のバッファ状況は、第1のネットワーク側デバイスとのデータ伝送を実行するために端末によって割り振られたバッファ空間を表現するのに使用され、
送信器は、プロセッサから第2の端末状況情報を受信し、第2の端末状況情報を第2のネットワーク側デバイスに送信するようにさらに構成される。
【００４１】
第7の態様に関連して、第4の可能な実施の形において、この端末は、第2のネットワーク側デバイスと周波数分割複信モードにおいて通信し、
プロセッサは、第2のネットワーク側デバイスから端末へのチャネルの状態情報を入手するように構成され、
送信器は、第2のネットワーク側デバイスから端末へのチャネルの状態情報をプロセッサから受信し、第2のネットワーク側デバイスから端末へのチャネルの状態情報を第2のネットワーク側デバイスに送信するようにさらに構成される。
【００４２】
第8の態様によれば、第1のネットワーク側デバイスが提供され、このネットワーク側デバイスは、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、第2のネットワーク側デバイスは、第2の時間期間内に端末にダウンリンク情報を送信し、ネットワーク側デバイスは、受信器、送信器、メモリ、プロセッサ、およびバスを含み、受信器、送信器、メモリ、およびプロセッサは、バスを使用することによって接続され、相互通信を実施し、メモリは、プロセッサによって処理されるデータを記憶するように構成され、
プロセッサは、伝送モード情報を入手するように構成され、伝送モード情報は、第1の時間期間内に、端末によって送信されたアップリンク情報を受信するように第1のネットワーク側デバイスに指示するのに使用され、
受信器は、プロセッサによって入手された伝送モード情報に従って、端末によって送信されたアップリンク情報を受信するように構成され
第1の時間期間および第2の時間期間は、同一の時間期間である。
【００４３】
第8の態様に関連して、第1の可能な実施の形において、伝送モード情報は、端末によって送信され、第1の時間期間内に受信されたアップリンク情報を第2のネットワーク側デバイスに送信するように第1のネットワーク側デバイスに指示するのにさらに使用され、
送信器は、伝送モード情報をプロセッサから受信し、端末によって送信され、第1の時間期間内に受信ユニットによって受信されたアップリンク情報を伝送モード情報に従って第2のネットワーク側デバイスに送信するように構成される。
【００４４】
第8の態様に関連して、第2の可能な実施の形において、伝送モード情報は、第2の時間期間内に第2のネットワーク側デバイスによって端末に送信されたダウンリンク情報を第2のネットワーク側デバイスに送信するように第1のネットワーク側デバイスに指示するのにさらに使用され、
送信器は、伝送モード情報をプロセッサから受信し、伝送モード情報に従って第2のネットワーク側デバイスに、第2の時間期間内に第2のネットワーク側デバイスによって端末に送信されたダウンリンク情報を送信するように構成される。
【００４５】
第8の態様、第1の可能な実施の形、または第2の可能な実施の形のいずれかに関連して、第3の可能な実施の形において、高周波通信システムは、コントローラをさらに含み、
受信器は、端末によって送信された第1の端末状況情報を受信するように構成され、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用され、
プロセッサは、第1のチャネル状態情報を入手するように構成され、第1のチャネル状態情報は、第1のネットワーク側デバイスから端末へのチャネルの状態情報と端末から第1のネットワーク側デバイスへのチャネルの状態情報とを含み、
コントローラが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、送信器は、第1の端末状況情報を受信器から受信し、第1のチャネル状態情報をプロセッサから受信し、第1の端末状況情報および第1のチャネル状態情報をコントローラに送信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用され、
受信器は、コントローラによって送信された伝送モード情報を受信し、伝送モード情報をプロセッサに送信するようにさらに構成される。
【００４６】
第8の態様、第1の可能な実施の形、または第2の可能な実施の形のいずれかに関連して、第4の可能な実施の形において、受信器は、端末によって送信された第1の端末状況情報を受信するように構成され、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用され、
プロセッサは、第1のチャネル状態情報を入手するように構成され、第1のチャネル状態情報は、第1のネットワーク側デバイスから端末へのチャネルの状態情報と端末から第1のネットワーク側デバイスへのチャネルの状態情報とを含み、
受信器は、第2のネットワーク側デバイスによって送信された第2の端末状況情報および第2のチャネル状態情報を受信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用され、
プロセッサは、第1の端末状況情報、第2の端末状況情報、および第2のチャネル状態情報を受信器から受信し、第1の端末状況情報、第1のチャネル状態情報、第2の端末状況情報、および第2のチャネル状態情報に従って伝送モード情報を構成するようにさらに構成される。
【００４７】
第4の態様に関連して、第5の可能な実施の形において、送信器は、伝送モード情報をプロセッサから受信し、伝送モード情報を第2のネットワーク側デバイスに送信するようにさらに構成される。
【００４８】
第3から第5の可能な実施の形のいずれかに関連して、第6の可能な実施の形において、第1のネットワーク側デバイスは、周波数分割複信モードにおいて端末と通信し、
受信器は、端末によって送信された、第1のネットワーク側デバイスから端末へのチャネルの状態情報を受信するようにさらに構成される。
【００４９】
第9の態様によれば、第2のネットワーク側デバイスが提供され、このネットワーク側デバイスは、少なくとも1つの端末および少なくとも2つのネットワーク側デバイスを含む高周波通信システムに適用され、少なくとも2つのネットワーク側デバイスは、第1のネットワーク側デバイスおよび第2のネットワーク側デバイスを含み、第1のネットワーク側デバイスに対応する第1のセルは、第2のネットワーク側デバイスに対応する第2のセルに隣接し、少なくとも1つの端末は、第1のセルと第2のセルとのオーバーラップエリア内に配置され、第1のネットワーク側デバイスは、第1の時間期間内に、端末によって送信されたアップリンク情報を受信し、このネットワーク側デバイスは、受信器、送信器、メモリ、プロセッサ、およびバスを含み、受信器、送信器、メモリ、およびプロセッサは、バスを使用することによって接続され、相互通信を実施し、メモリは、プロセッサによって処理されるデータを記憶するように構成され、
プロセッサは、伝送モード情報を入手するように構成され、伝送モード情報は、第2の時間期間内に端末にダウンリンク情報を送信するように第2のネットワーク側デバイスに指示するのに使用され、
送信器は、伝送モード情報をプロセッサから受信し、伝送モード情報に従って第2の時間期間内に端末にダウンリンク情報を送信するように構成され、
第1の時間期間および第2の時間期間は、同一の時間期間である。
【００５０】
第9の態様に関連して、第1の可能な実施の形において、伝送モード情報は、端末によって送信され、第1の時間期間内に第1のネットワーク側デバイスによって受信され、第1のネットワーク側デバイスによって送信されるアップリンク情報を受信するように第2のネットワーク側デバイスに指示するのにさらに使用され、
受信器は、伝送モード情報をプロセッサから受信し、伝送モード情報に従って、端末によって送信され、第1の時間期間内に第1のネットワーク側デバイスによって受信され、第1のネットワーク側デバイスによって送信されたアップリンク情報を受信するように構成される。
【００５１】
第9の態様に関連して、第2の可能な実施の形において、伝送モード情報は、第1のネットワーク側デバイスによって送信され、第2の時間期間内に第2のネットワーク側デバイスによって端末に送信されるダウンリンク情報を受信するように第2のネットワーク側デバイスに指示するのにさらに使用され、
受信器は、伝送モード情報をプロセッサから受信し、伝送モード情報に従って、第1のネットワーク側デバイスによって送信され、第2の時間期間内に第2のネットワーク側デバイスによって端末に送信されるダウンリンク情報を受信するように構成される。
【００５２】
第10の態様によれば、高周波通信システムが提供され、このシステムは、端末、第1のネットワーク側デバイス、および第2のネットワーク側デバイスを含み、
端末は、第4の態様または第4の態様の可能な実施の形のいずれか1つにおける端末であり、
第1のネットワーク側デバイスは、第5の態様または第5の態様の可能な実施の形のいずれか1つにおける第1のネットワーク側デバイスであり、
第2のネットワーク側デバイスは、第6の態様または第6の態様の可能な実施の形のいずれか1つにおける第2のネットワーク側デバイスであり、
または、
端末は、第7の態様または第7の態様の可能な実施の形のいずれか1つにおける端末であり、
第1のネットワーク側デバイスは、第8の態様または第8の態様の可能な実施の形のいずれか1つにおける第1のネットワーク側デバイスであり、
第2のネットワーク側デバイスは、第9の態様または第9の態様の可能な実施の形のいずれか1つにおける第2のネットワーク側デバイスである。
【００５３】
上で提供されたワイヤレス通信方法、デバイス、およびシステムによれば、端末が、第1のセルと第2のセルとのオーバーラップエリア内に配置される時に、端末が、第1の時間期間内に第1のネットワーク側デバイスとのアップリンク情報伝送を実行し、端末が、第2の時間期間内に第2のネットワーク側デバイスとのダウンリンク情報伝送を実行し、第1の時間期間および第2の時間期間が、同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。
【００５４】
本発明の実施形態または従来技術における技術的解決策を説明するために、以下は、実施形態または従来技術を説明するのに必要な添付図面を短く紹介する。明らかに、以下の説明内の添付図面は、単に本発明のいくつかの実施形態を示し、当業者は、それでも、創作的労力を伴わずにこれらの添付図面から他の図面を導出することができる。
【図面の簡単な説明】
【００５５】
【図１】従来技術のセル間干渉エリアを示す概略図である。
【図２】本発明の実施形態による高周波通信システムを示す概略構造図である。
【図３】本発明の実施形態によるワイヤレス通信方法を示す概略流れ図である。
【図４】本発明の実施形態による別のワイヤレス通信方法を示す概略流れ図である。
【図５】本発明の実施形態によるさらに別のワイヤレス通信方法を示す概略流れ図である。
【図６】本発明の実施形態による情報伝送モードを示す概略図である。
【図７】本発明の実施形態によるさらに別のワイヤレス通信方法を示す概略流れ図である。
【図８】本発明の実施形態によるさらに別のワイヤレス通信方法を示す概略流れ図である。
【図９】本発明の実施形態によるさらなるワイヤレス通信方法を示す概略流れ図である。
【図１０】本発明の実施形態によるさらなるワイヤレス通信方法を示す概略流れ図である。
【図１１】本発明の実施形態によるさらなるワイヤレス通信方法を示す概略流れ図である。
【図１２】本発明の実施形態によるさらなるワイヤレス通信方法を示す概略流れ図である。
【図１３】本発明の実施形態による別の高周波通信システムを示す概略構造図である。
【図１４】本発明の実施形態による端末を示す概略構造図である。
【図１５】本発明の実施形態による別の端末を示す概略構造図である。
【図１６】本発明の実施形態による第1のネットワーク側デバイスを示す概略構造図である。
【図１７】本発明の実施形態による別の第1のネットワーク側デバイスを示す概略構造図である。
【図１８】本発明の実施形態によるさらに別の第1のネットワーク側デバイスを示す概略構造図である。
【図１９】本発明の実施形態によるさらに別の第1のネットワーク側デバイスを示す概略構造図である。
【図２０】本発明の実施形態によるさらに別の第1のネットワーク側デバイスを示す概略構造図である。
【図２１】本発明の実施形態によるさらなる第1のネットワーク側デバイスを示す概略構造図である。
【図２２】本発明の実施形態による第2のネットワーク側デバイスを示す概略構造図である。
【図２３】本発明の実施形態による別の第2のネットワーク側デバイスを示す概略構造図である。
【図２４】本発明の実施形態によるさらに別の第2のネットワーク側デバイスを示す概略構造図である。
【図２５】本発明の実施形態によるさらに別の第2のネットワーク側デバイスを示す概略構造図である。
【図２６】本発明の実施形態によるさらに別の端末を示す概略構造図である。
【図２７】本発明の実施形態によるさらなる第1のネットワーク側デバイスを示す概略構造図である。
【図２８】本発明の実施形態によるさらに別の第2のネットワーク側デバイスを示す概略構造図である。
【発明を実施するための形態】
【００５６】
以下は、本発明の実施形態における添付図面に関連して本発明の実施形態における技術的解決策を明瞭かつ完全に説明する。明らかに、説明される実施形態は、本発明の実施形態のすべてではなく単に一部である。創作的労力を伴わずに本発明の実施形態に基づいて当業者によって入手されるすべての他の実施形態は、本発明の保護範囲に含まれなければならない。
【００５７】
端末は、ワイヤレス端末または有線端末とされ得る。ワイヤレス端末は、音声および/またはデータの接続性をユーザに提供するデバイス、無線接続機能を有するハンドヘルドデバイス、または無線モデムに接続された別の処理デバイスを指すことができる。ワイヤレス端末は、無線アクセスネットワーク(英語:Radio Access Network、略してRAN)を使用することによって1つまたは複数のコアネットワークと通信することができる。ワイヤレス端末は、携帯電話機(または「セルラー」電話機と呼ばれる)などのモバイル端末またはモバイル端末を有するコンピュータとされ得る。たとえば、ワイヤレス端末は、無線アクセスネットワークと音声および/またはデータを交換する、ポータブル装置、ポケットサイズの装置、ハンドヘルド装置、コンピュータ組込み装置、または車載モバイル装置とされ得る。たとえば、ワイヤレス端末は、パーソナル通信サービス(英語:Personal Communication Service、略してPCS)電話機、コードレス電話機セット、セッション開始プロトコル(英語:Session Initiation Protocol、略してSIP)電話機、ワイヤレスローカルループ(英語:Wireless Local Loop、略してWLL)ステーション、または携帯情報端末(英語:Personal Digital Assistant、略してPDA)などのデバイスとされ得る。ワイヤレス端末は、システム、加入者ユニット(英語:Subscriber Unit)、加入者局(英語:Subscriber Station)、移動局(英語:Mobile Station、略してMS)、移動局(英語:Mobile)、遠隔局(英語:Remote Station)、アクセスポイント(英語:Access Point、略してAP)、リモート端末(英語:Remote Terminal)、アクセス端末(英語:Access Terminal)、ユーザ端末(英語:User Terminal)、ユーザエージェント(英語:User Agent)、ユーザデバイス(英語:User Device)、またはユーザ機器(英語:User Equipment、略してUE)と呼ばれる場合もある。
【００５８】
本発明の実施形態におけるネットワーク側デバイスは、マクロ基地局、マイクロ基地局、ピコセル基地局、スモールセル、中継ノード、またはリモート無線ユニットなどの基地局を含むが、これに限定はされない。たとえば、ネットワーク側デバイスは、アクセスネットワーク内にあり、1つまたは複数のセクタを使用することによってエアインターフェースを介してワイヤレス端末と通信するデバイスを指すことができる。ネットワーク側デバイスは、受信されたワイヤレスフレームおよびインターネットプロトコル(英語:Internet Protocol、略してIP)パケットを相互に変換し、ワイヤレス端末とアクセスネットワークの残りの部分との間のルータとして働くように構成され得る。アクセスネットワークの残りの部分は、IPプロトコルネットワークを含むことができる。ネットワーク側デバイスは、エアインターフェースの属性管理をさらに調整することができる。たとえば、ネットワーク側デバイスは、GSM(登録商標) (英語:Global System for Mobile Communications、グローバルシステムフォーモバイルコミュニケーション)またはCDMA (英語:Code Division Multiple Access、符号分割多元接続)におけるベーストランシーバ基地局(英語:Base Transceiver Station、略してBTS)とされ得、あるいは、WCDMA(登録商標) (Wideband CDMA、広帯域符号分割多元接続)におけるNodeB (略してNodeB)とされ得、あるいは、LTEにおけるevolved NodeB (英語:evolutional Node B、略してNodeBまたはeNBまたはe-NodeB)とされ得る。これは、本発明の実施形態において限定されない。
【００５９】
本発明の実施形態において、「アップリンク」は、ネットワーク側デバイスがデータを受信するデータ伝送方向すなわちアップリンク受信を指し、「ダウンリンク」は、ネットワーク側デバイスがデータを送信するデータ伝送方向すなわちダウンリンク送信を指すことに留意されたい。他のケースは、そうではないと指定されない限りこれの対象にならなければならず、確かに、これに基づく他の変形または置換は、本発明の保護範囲に含まれなければならない。
【００６０】
本発明の実施形態は、図2内に示された高周波通信システムに適用される。高周波通信システムは、少なくとも1つの端末UE1と少なくとも2つのネットワーク側デバイス(P1およびP2)とを含み、P1に対応する第1のセルは、P2に対応する第2のセルに隣接し、UE1は、第1のセルと第2のセルとのオーバーラップエリア内に配置される。第1のネットワーク側デバイスP1から端末UE1へのチャネルは、HP1,UEであり、端末UE1から第1のネットワーク側デバイスP1へのチャネルは、HUE,P1であり、第2のネットワーク側デバイスP2から端末UE1へのチャネルは、Hp2,UEであり、端末UE1から第2のネットワーク側デバイスP2へのチャネルは、HUE,P2である。
【００６１】
具体的には、本発明の実施形態は、ワイヤレス通信方法を提供し、この方法は、図2内に示された高周波通信システムに適用される。高周波通信システムは、少なくとも1つの端末UE1と少なくとも2つのネットワーク側デバイスとを含み、少なくとも2つのネットワーク側デバイスは、第1のネットワーク側デバイスP1および第2のネットワーク側デバイスP2を含み、第1のネットワーク側デバイスP1に対応する第1のセルは、第2のネットワーク側デバイスP2に対応する第2のセルに隣接し、少なくとも1つの端末は、第1のセルと第2のセルとのオーバーラップエリア内に配置される。
【００６２】
図3内に示されているように、端末UE1は、以下のステップを実行する。
【００６３】
31  端末が、第1の時間期間内に第1のネットワーク側デバイスにアップリンク情報を送信する。
【００６４】
32  端末が、第2の時間期間内に、第2のネットワーク側デバイスによって送信されたダウンリンク情報を受信する
【００６５】
第1の時間期間および第2の時間期間は、同一の時間期間である。
【００６６】
前述のステップ31および32のタイムシーケンスは、限定されない。
【００６７】
本発明のこの実施形態では、端末は、少なくとも2つのビームを形成し、少なくとも1つのビームは、アップリンク情報を送信するのに使用され、少なくとも1つのビームは、ダウンリンク情報を受信するのに使用される。たとえば、高周波通信システム内で、デバイスは、一般に、アンテナアレイを使用することによって情報を送信し、受信し、利得を改善するために、大規模アンテナアレイを使用することによって複数の狭いビームを形成する。そのようなデバイスが、本発明のこの実施形態における端末に適用される時に、端末は、複数のアンテナアレイを使用することによって複数の狭いビームを形成することができ、いくつかの狭いビームは、アップリンク情報を送信するのに使用され、他の狭いビームは、ダウンリンク情報を受信するのに使用され、これによって、本発明のこの実施形態において提供されるワイヤレス通信方法を実施する。
【００６８】
図4内に示されているように、第1のネットワーク側デバイスP1は、以下のステップを実行する。
【００６９】
41  第1のネットワーク側デバイスが、伝送モード情報を入手し、伝送モード情報は、第1の時間期間内に、端末によって送信されたアップリンク情報を受信するように第1のネットワーク側デバイスに指示するのに使用される。
【００７０】
42  第1のネットワーク側デバイスが、第1の時間期間内に、伝送モード情報に従って、端末によって送信されたアップリンク情報を受信する。
【００７１】
図5内に示されているように、第2のネットワーク側デバイスP2は、以下のステップを実行する。
【００７２】
51  第2のネットワーク側デバイスが、伝送モード情報を入手し、伝送モード情報は、第2の時間期間内に端末にダウンリンク情報を送信するように第2のネットワーク側デバイスに指示するのに使用される。
【００７３】
52  第2のネットワーク側デバイスが、伝送モード情報に従って第2の時間期間内に端末にダウンリンク情報を送信する。
【００７４】
端末がセルのエッジに配置されていることを判定する従来技術の形を参照すると、前述の実施形態において、第1のネットワーク側デバイスP1および第2のネットワーク側デバイスP2は、端末がセルのエッジに配置されているかどうかを判定する形において、端末が第1のセルと第2のセルとのオーバーラップエリア内に配置されているかどうかを判定することができる。たとえば、第1のネットワーク側デバイスP1および第2のネットワーク側デバイスP2は、端末によって送信されたアップリンク情報のエネルギを検出することによって、端末が第1のセルと第2のセルとのオーバーラップエリア内に配置されているかどうかを判定し、端末がオーバーラップエリア内に配置されている時には、第1のネットワーク側デバイスP1および第2のネットワーク側デバイスP2は、前述の実施形態内で提供される形においてオーバーラップエリア内の端末と通信する。
【００７５】
前述の実施形態において、端末が、第1のセルと第2のセルとのオーバーラップエリア内に配置されている時には、端末が第1の時間期間内に第1のネットワーク側デバイスとのアップリンク情報伝送を実行し、端末が第2の時間期間内に第2のネットワーク側デバイスとのダウンリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。
【００７６】
前述の実施形態において、伝送モード情報に対応する伝送モードが図6(a)内に示されている。第1のネットワーク側デバイスP1と端末UE1との間のデータ伝送ならびに第2のネットワーク側デバイスP2と端末UE1との間のデータ伝送は、別々に実行され、端末UE1は、アップリンク情報を第1のネットワーク側デバイスP1に送信し、第2のネットワーク側デバイスP2は、ダウンリンク情報を端末UE1に送信し、データ伝送は、第1のネットワーク側デバイスP1と第2のネットワーク側デバイスP2との間で実行されない。第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【００７７】
オプションで、図6(c)内に示されているように、第1のネットワーク側デバイスP1に関して、伝送モード情報は、端末UE1によって送信され、第1の時間期間内に受信されたアップリンク情報を第2のネットワーク側デバイスP2に送信するように第1のネットワーク側デバイスP1に指示するのにさらに使用され、第1のネットワーク側デバイスP1は、以下の方法を実行するようにさらに構成される。
【００７８】
第1のネットワーク側デバイスP1が、端末によって送信されたアップリンク情報を伝送モード情報に従って第1の時間期間内に受信した後に、第1のネットワーク側デバイスP1は、端末UE1によって送信され、第1の時間期間内に受信されたアップリンク情報を、伝送モード情報に従って第2のネットワーク側デバイスP2に送信する。
【００７９】
第2のネットワーク側デバイスP2に関して、伝送モード情報は、端末UE1によって送信され、第1のネットワーク側デバイスP1によって第1の時間期間内に受信され、第1のネットワーク側デバイスP1によって送信されたアップリンク情報を受信するように第2のネットワーク側デバイスP2に指示するのにさらに使用され、第2のネットワーク側デバイスP2は、以下の方法を実行するようにさらに構成される。
【００８０】
第2のネットワーク側デバイスP2が、伝送モード情報に従って第2の時間期間内に端末にダウンリンク情報を送信する前に、第2のネットワーク側デバイスは、伝送モード情報に従って、端末によって送信され、第1の時間期間内に第1のネットワーク側デバイスによって受信され、第1のネットワーク側デバイスによって送信されたアップリンク情報を受信する。
【００８１】
さらにオプションで、図6(b)内に示されているように、第1のネットワーク側デバイスP1に関して、伝送モード情報は、端末によって送信され、第1の時間期間内に受信されるアップリンク情報を第2のネットワーク側デバイスP2に送信するように第1のネットワーク側デバイスP1に指示するのにさらに使用され、第1のネットワーク側デバイスP1が、伝送モード情報に従って第1の時間期間内に、端末UE1によって送信されたアップリンク情報を受信した後に、第1のネットワーク側デバイスP1は、以下の方法を実行するようにさらに構成される。
【００８２】
第1のネットワーク側デバイスP1は、伝送モード情報に従って、第2の時間期間内に第2のネットワーク側デバイスP2によって端末UE1に送信されるダウンリンク情報を第2のネットワーク側デバイスP2に送信する。
【００８３】
第2のネットワーク側デバイスP2に関して、伝送モード情報は、第1のネットワーク側デバイスP1によって送信され、第2の時間期間内に第2のネットワーク側デバイスP2によって端末UE1に送信されるダウンリンク情報を受信するように第2のネットワーク側デバイスP2に指示するのにさらに使用され、第2のネットワーク側デバイスP2は、以下の方法を実行するようにさらに構成される。
【００８４】
第2のネットワーク側デバイスP2は、伝送モード情報に従って、第1のネットワーク側デバイスP1によって送信され、第2の時間期間内に第2のネットワーク側デバイスP2によって端末UE1に送信されるダウンリンク情報を受信する。
【００８５】
図6(b)内に示された実施形態において、第1のネットワーク側デバイスP1が全二重通信を実行するので、第1のネットワーク側デバイスP1は、ソースネットワーク側デバイスであり、第2のネットワーク側デバイスP2は、中継ネットワーク側デバイスであり、第2のネットワーク側デバイスP2は、ダウンリンク情報を端末UE1に送信する際に第1のネットワーク側デバイスP1を支援する。図6(c)内に示された実施形態において、第2のネットワーク側デバイスP2が全二重通信を実行するので、第2のネットワーク側デバイスP2は、ソースネットワーク側デバイスであり、第1のネットワーク側デバイスP1は、中継ネットワーク側デバイスであり、第1のネットワーク側デバイスP1は、端末UE1によって送信されたアップリンク情報を受信する際に第2のネットワーク側デバイスP2を支援する。
【００８６】
さらに、図6(d)内に示されているように、第1のネットワーク側デバイスP1および第2のネットワーク側デバイスP2は、お互いと調整することができる、すなわち、図6(b)および図6(c)内に示された伝送モードが、同時に使用される。アップリンクデータ伝送は、第1のネットワーク側デバイスP1と端末UE1との間で実行され、ダウンリンクデータ伝送は、第2のネットワーク側デバイスP2と端末UE1との間で実行され、第1のネットワーク側デバイスP1は、伝送モード情報に従って、端末UE1によって送信され、第1の時間期間内に受信されるアップリンク情報を第2のネットワーク側デバイスP2に送信し、伝送モード情報に従って、第2の時間期間内に第2のネットワーク側デバイスP2によって端末UE1に送信されるダウンリンク情報を第2のネットワーク側デバイスP2に送信する。
【００８７】
以下は、前述の実施形態において第1のネットワーク側デバイスおよび第2のネットワーク側デバイスによって伝送モード情報を入手する方法を詳細に説明する。本発明のこの実施形態において提供される、第1のネットワーク側デバイスおよび第2のネットワーク側デバイスによって伝送モード情報を入手する方法において、第1のネットワーク側デバイスは、まず第1の端末状況情報を入手する必要があり、第2のネットワーク側デバイスは、まず第2の端末状況情報を入手する必要がある。したがって、オプションで、端末は、以下のステップをさらに実行する。
【００８８】
端末が、第1の時間期間内に第1のネットワーク側デバイスにアップリンク情報を送信する前に、端末は、第1の端末状況情報を入手し、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される。
【００８９】
端末は、第1の端末状況情報を第1のネットワーク側デバイスに送信する。
【００９０】
端末が、第2の時間期間内に第2のネットワーク側デバイスにアップリンク情報を送信する前に、端末は、第2の端末状況情報を入手し、第2の端末状況情報は、端末の第2のバッファ状況と端末が全二重通信をサポートすることを示す情報とを含み、第2のバッファ状況は、第2のネットワーク側デバイスとのデータ伝送を実行するために端末によって割り振られたバッファ空間を表現するのに使用される。
【００９１】
端末は、第2の端末状況情報を第2のネットワーク側デバイスに送信する。
【００９２】
第1の端末状況情報内に含まれる第1のバッファ状況は、第1のネットワーク側デバイスとのデータ伝送を実行するために端末によって割り振られたバッファ空間を表現するのに使用される。具体的には、端末が第1のネットワーク側デバイスとのアップリンク伝送を実行する時に、バッファ空間は、第1のネットワーク側デバイスとのアップリンク伝送を実行するために端末によって割り振られたバッファ空間であり、端末が第1のネットワーク側デバイスとのダウンリンク伝送を実行する時に、バッファ空間は、第1のネットワーク側デバイスとのダウンリンク伝送を実行するために端末によって割り振られたバッファ空間である。
【００９３】
第2の端末状況情報内に含まれる第2のバッファ状況は、第2のネットワーク側デバイスとのデータ伝送を実行するために端末によって割り振られたバッファ空間を表現するのに使用される。同様に、端末が第2のネットワーク側デバイスとのアップリンク伝送を実行する時に、バッファ空間は、第2のネットワーク側デバイスとのアップリンク伝送を実行するために端末によって割り振られたバッファ空間であり、端末が第2のネットワーク側デバイスとのダウンリンク伝送を実行する時に、バッファ空間は、第2のネットワーク側デバイスとのダウンリンク伝送を実行するために端末によって割り振られたバッファ空間である。
【００９４】
端末が全二重通信をサポートするかどうかは、端末のハードウェア能力と、端末とネットワーク側デバイスとの間のチャネルの状態とに依存する。端末のハードウェア能力が全二重通信をサポートしないか、端末とネットワーク側デバイスとの間のチャネルの状態が非常に悪い時には、端末は、従来の形でネットワーク側デバイスと通信する。たとえば、図2内に示されているように、端末UE1が、第1のネットワーク側デバイスP1から端末UE1へのチャネルHP1,UEの状態が非常に悪いことを検出する時に、端末は、全二重通信がサポートされないと判定する。端末のハードウェア能力が、全二重通信をサポートし、端末とネットワーク側デバイスとの間のチャネルの状態が、全二重通信をサポートするのに十分によい場合には、端末は、全二重通信がサポートされることを示す情報を生成する。
【００９５】
具体的には、本発明のこの実施形態は、第1のネットワーク側デバイスおよび第2のネットワーク側デバイスによって伝送モード情報を入手する4つの方法を提供する。
【００９６】
方法1  高周波通信システムは、コントローラをさらに含み、第1のネットワーク側デバイスが伝送モード情報を入手することは、図7内に示されているように、以下のステップを含む。
【００９７】
71  第1のネットワーク側デバイスが、端末によって送信された第1の端末状況情報を受信し、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される。
【００９８】
72  第1のネットワーク側デバイスが、第1のチャネル状態情報を入手し、第1のチャネル状態情報は、第1のネットワーク側デバイスから端末へのチャネルの状態情報と端末から第1のネットワーク側デバイスへのチャネルの状態情報とを含む。
【００９９】
73  コントローラが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、第1のネットワーク側デバイスが、第1のチャネル状態情報および第1の端末状況情報をコントローラに送信し、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される。
【０１００】
74  第1のネットワーク側デバイスが、コントローラによって送信された伝送モード情報を受信する。
【０１０１】
ステップ72において、第1のネットワーク側デバイスは、端末によって送信されたアップリンク情報を受信することによって、端末から第1のネットワーク側デバイスへのチャネルの状態を測定することができる。
【０１０２】
第1のネットワーク側デバイスが、時分割複信モードにおいて端末と通信する場合に、第1のネットワーク側デバイスから端末へのチャネルの状態は、端末から第1のネットワーク側デバイスへのチャネルの状態と同一である。したがって、第1のネットワーク側デバイスは、第1のネットワーク側デバイスから端末へのチャネルの状態を入手するために、端末によって送信されたアップリンク情報を使用することによって端末から第1のネットワーク側デバイスへのチャネルの状態を測定することだけを必要とする、すなわち、ネットワーク側デバイスは、測定によって第1のチャネル状態情報を入手することができる。
【０１０３】
第1のネットワーク側デバイスが、周波数分割複信モードにおいて端末と通信する場合に、端末から第1のネットワーク側デバイスへのチャネルの状態は、第1のネットワーク側デバイスから端末へのチャネルの状態とは異なる。したがって、第1のネットワーク側デバイスが、第1のチャネル状態情報を入手する必要がある場合に、端末は、第1のネットワーク側デバイスから端末へのチャネルの状態情報を報告する必要があり、端末は、以下のステップを実行しなければならない。
【０１０４】
端末は、第1のネットワーク側デバイスから端末へのチャネルの状態情報を入手する。
【０１０５】
端末は、第1のネットワーク側デバイスから端末へのチャネルの状態情報を第1のネットワーク側デバイスに送信する。
【０１０６】
端末は、第1のネットワーク側デバイスによって送信されたダウンリンク情報を測定することによって、第1のネットワーク側デバイスから端末へのチャネルの状態情報を入手することができる。
【０１０７】
対応して、第1のネットワーク側デバイスは、以下のステップを実行しなければならない。
【０１０８】
第1のネットワーク側デバイスは、端末によって送信された第1のネットワーク側デバイスから端末へのチャネルの状態情報を受信する。
【０１０９】
第1のネットワーク側デバイスは、端末によって送信された第1のネットワーク側デバイスから端末へのチャネルの状態情報を受信することと、端末によって送信されたアップリンク情報を測定することとによって、第1のチャネル状態情報を入手する。
【０１１０】
ステップ73において、コントローラは、受信された第1の端末状況情報、第1のチャネル状態情報、第2の端末状況情報、および第2のチャネル状態情報を使用することによって伝送モード情報を構成する。たとえば、端末から第1のネットワーク側デバイスへのチャネルの状態が、端末から第2のネットワーク側デバイスへのチャネルの状態よりよく、第2のネットワーク側デバイスから端末へのチャネルの状態が、第1のネットワーク側デバイスから端末へのチャネルの状態よりよい場合に、端末と第1のネットワーク側デバイスとの間でアップリンク伝送を実行することと、端末と第2のネットワーク側デバイスとの間でダウンリンク伝送を実行することとが選択される。第1の端末状況情報内に含まれる第1のバッファ状況は、第1のネットワーク側デバイスとのデータ伝送を実行するために端末によって割り振られたバッファ空間を表現するのに使用され、第2の端末状況情報内に含まれる第2のバッファ状況は、第2のネットワーク側デバイスとのデータ伝送を実行するために端末によって割り振られたバッファ空間を表現するのに使用される。第2のネットワーク側デバイスとのデータ伝送を実行するために端末によって割り振られるバッファ空間が、第1のネットワーク側デバイスとのデータ伝送を実行するために端末によって割り振られるバッファ空間より満ちている時には、図6(b)内に示された伝送モードが構成され、第1のネットワーク側デバイスとのデータ伝送を実行するために端末によって割り振られるバッファ空間内に、相対的に大きいアイドル空間がある。したがって、第1のネットワーク側デバイスは、端末によって送信されたアップリンク情報の受信において第2のネットワーク側デバイスを支援することができる。第1のネットワーク側デバイスとのデータ伝送を実行するために端末によって割り振られるバッファ空間が、第2のネットワーク側デバイスとのデータ伝送を実行するために端末によって割り振られるバッファ空間より満ちている時には、図6(c)内に示された伝送モードが構成され、第2のネットワーク側デバイスとのデータ伝送を実行するために端末によって割り振られるバッファ空間内に、相対的に大きいアイドル空間がある。したがって、第2のネットワーク側デバイスは、端末へのダウンリンク情報の送信において第1のネットワーク側デバイスを支援することができる。第1のネットワーク側デバイスが、ダウンリンクデータを伝送する必要がない時には、図6(a)内に示された伝送モードが構成され得、データ伝送は、第1のネットワーク側デバイスと第2のネットワーク側デバイスとの間で実行されない。代替案では、第1のネットワーク側デバイスとのデータ伝送を実行するために端末によって割り振られるバッファ空間と第2のネットワーク側デバイスとのデータ伝送を実行するために端末によって割り振られるバッファ空間との両方に相対的に大きいアイドル空間がある時に、図6(d)内に示された伝送モードが構成され得、第1のネットワーク側デバイスおよび第2のネットワーク側デバイスは、お互いと調整する。
【０１１１】
同様に、第2のネットワークデバイスによって伝送モード情報を入手する方法に関して、前述のステップ71から74において第1のネットワークデバイスによって伝送モード情報を入手する方法に対する参照が行われ得る。具体的には、図8内に示されているように、第2のネットワークデバイスは、以下のステップを対応して実行する。
【０１１２】
81  第2のネットワーク側デバイスが、端末によって送信された第2の端末状況情報を受信し、第2の端末状況情報は、端末の第2のバッファ状況と端末が全二重通信をサポートすることを示す情報とを含み、第2のバッファ状況は、第2のネットワーク側デバイスとのデータ伝送を実行するために端末によって割り振られたバッファ空間を表現するのに使用される。
【０１１３】
82  第2のネットワーク側デバイスが、第2のチャネル状態情報を入手し、第2のチャネル状態情報は、第2のネットワーク側デバイスから端末へのチャネルの状態情報と端末から第2のネットワーク側デバイスへのチャネルの状態情報とを含む。
【０１１４】
83  コントローラが、第2の端末状況情報、第2のチャネル状態情報、第1の端末状況情報、および第1のチャネル状態情報に従って伝送モード情報を構成し、伝送モード情報を第2のネットワーク側デバイスに送信するようにするために、第2のネットワーク側デバイスが、第2のチャネル状態情報および第2の端末状況情報をコントローラに送信し、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含み、第1のバッファ状況は、第1のネットワーク側デバイスとのデータ伝送を実行するために端末によって割り振られたバッファ空間を表現するのに使用される。
【０１１５】
84  第2のネットワーク側デバイスが、コントローラによって送信された伝送モード情報を受信する。
【０１１６】
ステップ82において、第2のネットワーク側デバイスは、端末によって送信されたアップリンク情報を受信することによって、端末から第2のネットワーク側デバイスへのチャネルの状態を測定することができる。
【０１１７】
同様に、第2のネットワーク側デバイスが、時分割複信モードにおいて端末と通信する場合に、第2のネットワーク側デバイスから端末へのチャネルの状態は、端末から第2のネットワーク側デバイスへのチャネルの状態と同一である。したがって、第2のネットワーク側デバイスは、第2のネットワーク側デバイスから端末へのチャネルの状態を入手するために、端末によって送信されたアップリンク情報を使用することによって端末から第2のネットワーク側デバイスへのチャネルの状態を測定することだけを必要とする、すなわち、ネットワーク側デバイスは、測定によって第2のチャネル状態情報を入手することができる。
【０１１８】
第2のネットワーク側デバイスが、周波数分割複信モードにおいて端末と通信する場合に、端末から第2のネットワーク側デバイスへのチャネルの状態は、第2のネットワーク側デバイスから端末へのチャネルの状態とは異なる。したがって、第2のネットワーク側デバイスが、第2のチャネル状態情報を入手する必要がある場合に、端末は、第2のネットワーク側デバイスから端末へのチャネルの状態情報を報告する必要があり、端末は、以下のステップを実行しなければならない。
【０１１９】
端末は、第2のネットワーク側デバイスから端末へのチャネルの状態情報を入手する。
【０１２０】
端末は、第2のネットワーク側デバイスから端末へのチャネルの状態情報を第2のネットワーク側デバイスに送信する。
【０１２１】
端末は、第1のネットワーク側デバイスによって送信されたダウンリンク情報を測定することによって、第2のネットワーク側デバイスから端末へのチャネルの状態情報を入手することができる。
【０１２２】
対応して、第2のネットワーク側デバイスは、以下のステップをさらに実行しなければならない。
【０１２３】
第2のネットワーク側デバイスは、端末によって送信された第2のネットワーク側デバイスから端末へのチャネルの状態情報を受信する。
【０１２４】
第2のネットワーク側デバイスは、端末によって送信された第2のネットワーク側デバイスから端末へのチャネルの状態情報を受信することと、端末によって送信されたアップリンク情報を測定することとによって、第2のチャネル状態情報を入手する。
【０１２５】
方法2  第1のネットワーク側デバイスは、図9内に示されている以下のステップを実行することによって、伝送モード情報を入手する。
【０１２６】
91  第1のネットワーク側デバイスが、端末によって送信された第1の端末状況情報を受信し、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される。
【０１２７】
92  第1のネットワーク側デバイスが、第1のチャネル状態情報を入手し、第1のチャネル状態情報は、第1のネットワーク側デバイスから端末へのチャネルの状態情報と端末から第1のネットワーク側デバイスへのチャネルの状態情報とを含む。
【０１２８】
93  第1のネットワーク側デバイスが、第2のネットワーク側デバイスによって送信された第2の端末状況情報および第2のチャネル状態情報を受信し、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される。
【０１２９】
94  第1のネットワーク側デバイスが、第1の端末状況情報、第1のチャネル状態情報、第2の端末状況情報、および第2のチャネル状態情報に従って伝送モード情報を構成する。
【０１３０】
同様に、第2のネットワークデバイスによって伝送モード情報を入手する方法に関して、前述のステップ91から94において第1のネットワークデバイスによって伝送モード情報を入手する方法に対する参照が行われ得る。具体的には、図10内に示されているように、第2のネットワークデバイスは、以下のステップを対応して実行する。
【０１３１】
101  第2のネットワーク側デバイスが、端末によって送信された第2の端末状況情報を受信し、第2の端末状況情報は、端末の第2のバッファ状況と端末が全二重通信をサポートすることを示す情報とを含み、第2のバッファ状況は、第2のネットワーク側デバイスとのデータ伝送を実行するために端末によって割り振られたバッファ空間を表現するのに使用される。
【０１３２】
102  第2のネットワーク側デバイスが、第2のチャネル状態情報を入手し、第2のチャネル状態情報は、第2のネットワーク側デバイスから端末へのチャネルの状態情報と端末から第2のネットワーク側デバイスへのチャネルの状態情報とを含む。
【０１３３】
103  第2のネットワーク側デバイスが、第1のネットワーク側デバイスによって送信された第1の端末状況情報および第1のチャネル状態情報を受信し、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含み、第1のバッファ状況は、第1のネットワーク側デバイスとのデータ伝送を実行するために端末によって割り振られたバッファ空間を表現するのに使用される。
【０１３４】
104  第2のネットワーク側デバイスが、第2の端末状況情報、第2のチャネル状態情報、第1の端末状況情報、および第1のチャネル状態情報に従って伝送モード情報を構成する。
【０１３５】
ステップ92において第1のネットワーク側デバイスによって第1のチャネル状態情報を入手する形は、ステップ72の形に類似し、ステップ102において第2のネットワーク側デバイスによって第2のチャネル状態情報を入手する形は、ステップ82の形に類似する。詳細は、本明細書においてここで繰り返して説明はされない。
【０１３６】
さらに、ステップ94における第1の端末状況情報、第1のチャネル状態情報、第2の端末状況情報、および第2のチャネル状態情報に従って第1のネットワーク側デバイスによって伝送モード情報を構成する形、ならびに、ステップ104における第2の端末状況情報、第2のチャネル状態情報、第1の端末状況情報、および第1のチャネル状態情報に従って第2のネットワーク側デバイスによって伝送モード情報を構成する形は、ステップ73またはステップ83における第2の端末状況情報、第2のチャネル状態情報、第1の端末状況情報、および第1のチャネル状態情報に従ってコントローラによって伝送モード情報を構成する方法に類似する。詳細は、本明細書においてここで繰り返して説明はされない。
【０１３７】
方法3  第1のネットワーク側デバイスは、1次ネットワーク側デバイスとしてセットされ、第2のネットワーク側デバイスは、2次ネットワーク側デバイスとしてセットされる。第1のネットワーク側デバイスは、方法2のステップ91から94を実行し、第1のネットワーク側デバイスは、以下のステップをさらに実行する。
【０１３８】
第1のネットワーク側デバイスは、第2のネットワーク側デバイスに伝送モード情報を送信する。
【０１３９】
対応して、第2のネットワーク側デバイスは、図11内に示されているように、以下のステップを実行する。
【０１４０】
111  第2のネットワーク側デバイスが、端末によって送信された第2の端末状況情報を受信し、第2の端末状況情報は、端末の第2のバッファ状況と端末が全二重通信をサポートすることを示す情報とを含み、第2のバッファ状況は、第2のネットワーク側デバイスとのデータ伝送を実行するために端末によって割り振られたバッファ空間を表現するのに使用される。
【０１４１】
112  第2のネットワーク側デバイスが、第2のチャネル状態情報を入手し、第2のチャネル状態情報は、第2のネットワーク側デバイスから端末へのチャネルの状態情報と端末から第2のネットワーク側デバイスへのチャネルの状態情報とを含む。
【０１４２】
113  第1のネットワーク側デバイスが、第2の端末状況情報、第2のチャネル状態情報、第1の端末状況情報、および第1のチャネル状態情報に従って伝送モード情報を構成し、伝送モード情報を第2のネットワーク側デバイスに送信するようにするために、第2のネットワーク側デバイスが、第2の端末状況情報および第2のチャネル状態情報を第1のネットワーク側デバイスに送信し、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含み、第1のバッファ状況は、第1のネットワーク側デバイスとのデータ伝送を実行するために端末によって割り振られたバッファ空間を表現するのに使用される。
【０１４３】
114  第2のネットワーク側デバイスが、第1のネットワーク側デバイスによって送信された伝送モード情報を受信する。
【０１４４】
ステップ112における第2のネットワーク側デバイスによって第2のチャネル状態情報を入手する形は、ステップ82における形に類似し、詳細は、本明細書においてここで繰り返して説明はされない。
【０１４５】
さらに、ステップ113において第1の端末状況情報、第1のチャネル状態情報、第2の端末状況情報、および第2のチャネル状態情報に従って第1のネットワーク側デバイスによって伝送モード情報を構成する方法は、ステップ73またはステップ83において第2の端末状況情報、第2のチャネル状態情報、第1の端末状況情報、および第1のチャネル状態情報に従ってコントローラによって伝送モード情報を構成する方法に類似し、詳細は、本明細書においてここで繰り返して説明はされない。
【０１４６】
方法4  第2のネットワーク側デバイスは、1次ネットワーク側デバイスとしてセットされ、第1のネットワーク側デバイスは、2次ネットワーク側デバイスとしてセットされる。第2のネットワーク側デバイスは、方法2のステップ101から104を実行し、第2のネットワーク側デバイスは、以下のステップをさらに実行する。
【０１４７】
第2のネットワーク側デバイスは、伝送モード情報を第1のネットワーク側デバイスに送信する。
【０１４８】
対応して、第1のネットワーク側デバイスは、図12内に示されているように、以下のステップを実行する。
【０１４９】
121  第1のネットワーク側デバイスが、端末によって送信された第1の端末状況情報を受信し、第1の端末状況情報は、端末の第1のバッファ状況と端末が全二重通信をサポートすることを示す情報とを含み、第1のバッファ状況は、第1のネットワーク側デバイスとのデータ伝送を実行するために端末によって割り振られたバッファ空間を表現するのに使用される。
【０１５０】
122  第1のネットワーク側デバイスが、第1のチャネル状態情報を入手し、第1のチャネル状態情報は、第1のネットワーク側デバイスから端末へのチャネルの状態情報と端末から第1のネットワーク側デバイスへのチャネルの状態情報とを含む。
【０１５１】
123  第2のネットワーク側デバイスが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、第1のネットワーク側デバイスが、第1の端末状況情報および第1のチャネル状態情報を第2のネットワーク側デバイスに送信し、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、第2のバッファ状況は、第2のネットワーク側デバイスとのデータ伝送を実行するために端末によって割り振られたバッファ空間を表現するのに使用される。
【０１５２】
124  第1のネットワーク側デバイスが、第2のネットワーク側デバイスによって送信された伝送モード情報を受信する。
【０１５３】
ステップ122において第1のネットワーク側デバイスによって第1のチャネル状態情報を入手する形は、ステップ72の形に類似し、詳細は、本明細書においてここで繰り返して説明はされない。
【０１５４】
さらに、ステップ123において第1の端末状況情報、第1のチャネル状態情報、第2の端末状況情報、および第2のチャネル状態情報に従って第2のネットワーク側デバイスによって伝送モード情報を構成する方法は、ステップ73またはステップ83において第2の端末状況情報、第2のチャネル状態情報、第1の端末状況情報、および第1のチャネル状態情報に従ってコントローラによって伝送モード情報を構成する方法に類似し、詳細は、本明細書においてここで繰り返して説明はされない。
【０１５５】
さらに、前述の実施形態のいずれもが、複数のセルのオーバーラップエリア内に配置された端末がネットワーク側デバイスと通信するシナリオにさらに適用され得、複数のセルは、3つ以上のセル、たとえば3つ、4つ、またはより多数のセルを指す。端末によって複数のセルに対応する複数のネットワーク側デバイスと通信する方法に関して、前述の実施形態において端末によって第1のネットワーク側デバイスおよび第2のネットワーク側デバイスと通信する方法に対する参照が行われ得、詳細は、本明細書においてここで繰り返して説明はされない。
【０１５６】
さらに、端末が、その量が2より多い複数のセルのオーバーラップエリア内に配置される時に、本発明の実施形態は、端末とネットワーク側デバイスとの間で実行される通信にも適用され得、たとえば、端末は、3つ、4つ、またはより多数のセルのオーバーラップエリア内に配置される。図13内に示されているように、端末UE2は、ネットワーク側デバイスP3に対応する第3のセル、ネットワーク側デバイスP4に対応する第4のセル、およびネットワーク側デバイスP5に対応する第5のセルのオーバーラップエリア内に配置される。端末UE2と任意の2つのネットワーク側デバイスとの間のデータ伝送方法に関して、前述の実施形態のうちの任意の1つにおける端末と第1のネットワーク側デバイスと第2のネットワーク側デバイスとの間のデータ伝送方法に対する参照が行われ得る。
【０１５７】
たとえば、P3、P4、およびP5が、すべてネットワーク側デバイスである場合に、図13内に示された高周波通信システムは、コントローラをさらに含み、P3、P4、およびP5は、すべてが時分割複信モードにおいて通信を実行し、P3は、第3のチャネル状態情報および第3の端末状況情報をコントローラに送信し、P4は、第4のチャネル状態情報および第4の端末状況情報をコントローラに送信し、P5は、第5のチャネル状態情報および第5の端末状況情報をコントローラに送信し、コントローラは、第3のチャネル状態情報、第3の端末状況情報、第4のチャネル状態情報、第4の端末状況情、第5のチャネル状態情報、および第5の端末状況情報に従って伝送モード情報を構成する。たとえば、UE2からP3へのチャネルの状態が、UE2からP4へのチャネルの状態よりよく、UE2からP4へのチャネルの状態が、UE2からP5へのチャネルの状態よりよい場合に、P3とUE2との間のアップリンク伝送の実行、P4とUE2との間のダウンリンク伝送の実行、およびP5とUE2との間のダウンリンク伝送の実行が、構成される。第3の端末状況情報内に含まれる第3のバッファ状況は、P3とのデータ伝送を実行するためにUE2によって割り振られるバッファ空間を表現するのに使用され、第4の端末状況情報内に含まれる第4のバッファ状況は、P4とのデータ伝送を実行するためにUE2によって割り振られるバッファ空間を表現するのに使用され、第5の端末状況情報内に含まれる第5のバッファ状況は、P5とのデータ伝送を実行するためにUE2によって割り振られるバッファ空間を表現するのに使用される。P3とのデータ伝送を実行するためにUE2によって割り振られるバッファ空間が、P4とのデータ伝送を実行するためにUE2によって割り振られるバッファ空間より満たされており、P3とのデータ伝送を実行するためにUE2によって割り振られるバッファ空間が、P5とのデータ伝送を実行するためにUE2によって割り振られるバッファ空間より満たされており、第3のネットワーク側デバイスP3が、端末UE2にダウンリンクデータを送信する必要がある時には、図6(b)内に示された伝送モードが、UE2、P3、およびP4に関して構成され、図6(b)内に示された伝送モードは、UE2、P3、およびP5に関しても構成される。P3とのデータ伝送を実行するためにUE2によって割り振られるバッファ空間が、P4とのデータ伝送を実行するためにUE2によって割り振られるバッファ空間より満たされており、P3とのデータ伝送を実行するためにUE2によって割り振られるバッファ空間が、P5とのデータ伝送を実行するためにUE2によって割り振られるバッファ空間より満たされているが、第3のネットワーク側デバイスP3が、ダウンリンクデータを送信する必要がない時には、図6(a)内に示された伝送モードが、UE2、P3、およびP4に関して構成され、図6(a)内に示された伝送モードは、UE2、P3、およびP5に関しても構成される。前述の実施形態によれば、P3に対応する第3のセルとP4に対応する第4のセルとの間のセル間干渉は、回避され得、P3に対応する第3のセルとP5に対応する第5のセルとの間のセル間干渉も、回避され得る。
【０１５８】
本発明の実施形態は、前述の方法実施形態において端末によって実施されるデータ伝送方法を実行するために端末140を提供し、端末は、図2内に示された高周波通信システムすなわち、少なくとも1つの端末UE1および少なくとも2つのネットワーク側デバイスを含む高周波通信システムに適用される。少なくとも2つのネットワーク側デバイスは、第1のネットワーク側デバイスP1および第2のネットワーク側デバイスP2を含み、第1のネットワーク側デバイスP1に対応する第1のセルは、第2のネットワーク側デバイスP2に対応する第2のセルに隣接し、少なくとも1つの端末UE1は、第1のセルと第2のセルとのオーバーラップエリア内に配置される。
【０１５９】
図14内に示されているように、端末は、
第1の時間期間内に第1のネットワーク側デバイスにアップリンク情報を送信するように構成された送信ユニット141と、
第2の時間期間内に、第2のネットワーク側デバイスによって送信されたダウンリンク情報を受信するように構成された受信ユニット142と
を含む。
【０１６０】
第1の時間期間および第2の時間期間は、同一の時間期間である。
【０１６１】
さらに、オプションで、図15内に示されているように、端末は、
第1の端末状況情報を入手するように構成された入手ユニット143であって、第1の端末状況情報は、端末の第1のバッファ状況と端末が全二重通信をサポートすることを示す情報とを含む、入手ユニット143
をさらに含む。
【０１６２】
送信ユニット141は、第1の端末状況情報を入手ユニット143から受信し、第1の端末状況情報を第1のネットワーク側デバイスに送信するようにさらに構成される。
【０１６３】
さらに、オプションで、図15内に示されているように、端末は、
第2の端末状況情報を入手するように構成された入手ユニット143であって、第2の端末状況情報は、端末の第2のバッファ状況と端末が全二重通信をサポートすることを示す情報とを含む、入手ユニット143
をさらに含む。
【０１６４】
送信ユニット141は、第2の端末状況情報を入手ユニット143から受信し、第2の端末状況情報を第2のネットワーク側デバイスに送信するようにさらに構成される。
【０１６５】
本発明のこの実施形態の端末が、第1のセルと第2のセルとのオーバーラップエリア内に配置されている時には、端末が第1の時間期間内に第1のネットワーク側デバイスとのアップリンク情報伝送を実行し、端末が第2の時間期間内に第2のネットワーク側デバイスとのダウンリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。さらに、第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【０１６６】
本発明の実施形態は、前述の実施形態において第1のネットワーク側デバイスによって実施されるデータ伝送方法を実行するための第1のネットワーク側デバイス160を提供し、このネットワーク側デバイスは、図2内に示された高周波通信システムすなわち、少なくとも1つの端末UE1および少なくとも2つのネットワーク側デバイスを含む高周波通信システムに適用される。少なくとも2つのネットワーク側デバイスは、第1のネットワーク側デバイスP1および第2のネットワーク側デバイスP1を含み、第1のネットワーク側デバイスP1に対応する第1のセルは、第2のネットワーク側デバイスP2に対応する第2のセルに隣接し、少なくとも1つの端末UE1は、第1のセルと第2のセルとのオーバーラップエリア内に配置される。第2のネットワーク側デバイスP2は、第2の時間期間内に端末UE1にダウンリンク情報を送信する。
【０１６７】
図16内に示されているように、第1のネットワーク側デバイス160は、
伝送モード情報を入手するように構成された入手ユニット161であって、伝送モード情報は、第1の時間期間内に、端末によって送信されたアップリンク情報を受信するように第1のネットワーク側デバイスに指示するのに使用される、入手ユニット161と、
入手ユニット161から伝送モード情報を受信し、伝送モード情報に従って、端末によって送信されたアップリンク情報を受信するように構成された受信ユニット162と
を含む。
【０１６８】
第1の時間期間および第2の時間期間は、同一の時間期間である。
【０１６９】
オプションで、伝送モード情報は、端末によって送信され、第1の時間期間内に受信されたアップリンク情報を第2のネットワーク側デバイスに送信するように第1のネットワーク側デバイスに指示するのにさらに使用される。図17内に示されているように、ネットワーク側デバイスは、
伝送モード情報を入手ユニット161から受信し、端末によって送信され、第1の時間期間内に受信ユニットによって受信されたアップリンク情報を伝送モード情報に従って第2のネットワーク側デバイスに送信するように構成された送信ユニット163
をさらに含む。
【０１７０】
さらに、オプションで、伝送モード情報は、第2の時間期間内に第2のネットワーク側デバイスによって端末に送信されたダウンリンク情報を第2のネットワーク側デバイスに送信するように第1のネットワーク側デバイスに指示するのにさらに使用され、ネットワーク側デバイスは、
伝送モード情報を入手ユニット161から受信し、伝送モード情報に従って第2のネットワーク側デバイスに、第2の時間期間内に第2のネットワーク側デバイスによって端末に送信されたダウンリンク情報を送信するように構成された送信ユニット163
をさらに含む。
【０１７１】
さらに、高周波通信システムは、コントローラをさらに含み、図18内に示されているように、入手ユニット161は、
端末によって送信された第1の端末状況情報を受信するように構成された受信サブユニット1611であって、第1の端末状況情報は、端末の第1のバッファ状況と端末が全二重通信をサポートすることを示す情報とを含む、受信サブユニット1611と、
第1のチャネル状態情報を入手するように構成された入手サブユニット1612であって、第1のチャネル状態情報は、第1のネットワーク側デバイスから端末へのチャネルの状態情報と端末から第1のネットワーク側デバイスへのチャネルの状態情報とを含む、入手サブユニット1612と、
コントローラが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、第1の端末状況情報を受信サブユニット1611から受信し、第1のチャネル状態情報を入手サブユニット1612から受信し、第1の端末状況情報および第1のチャネル状態情報をコントローラに送信するように構成された送信サブユニット1613であって、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含む、送信サブユニット1613と
を含む。
【０１７２】
受信サブユニット1611は、コントローラによって送信された伝送モード情報を受信するようにさらに構成される。
【０１７３】
前述の実施形態において、第1のネットワーク側デバイスが、周波数分割複信モードにおいて端末と通信する時に、端末は、
第1のネットワーク側デバイスから端末へのチャネルの状態情報を入手するように構成された入手ユニット
を含む。
【０１７４】
送信ユニットは、第1のネットワーク側デバイスから端末へのチャネルの状態情報を入手ユニットから受信し、第1のネットワーク側デバイスから端末へのチャネルの状態情報を第1のネットワーク側デバイスに送信するようにさらに構成される。
【０１７５】
第1のネットワーク側デバイスの受信サブユニット1611は、端末によって送信された、第1のネットワーク側デバイスから端末へのチャネルの状態情報を受信するようにさらに構成される。
【０１７６】
オプションで、図19内に示されているように、第1のネットワーク側デバイスの入手ユニット161は、
端末によって送信された第1の端末状況情報を受信するように構成された受信サブユニット1611であって、第1の端末状況情報は、端末の第1のバッファ状況と端末が全二重通信をサポートすることを示す情報とを含む、受信サブユニット1611と、
第1のチャネル状態情報を入手するように構成された入手サブユニット1612であって、第1のチャネル状態情報は、第1のネットワーク側デバイスから端末へのチャネルの状態情報と端末から第1のネットワーク側デバイスへのチャネルの状態情報とを含む、入手サブユニット1612であって、
受信サブユニット1611は、第2のネットワーク側デバイスによって送信された第2の端末状況情報および第2のチャネル状態情報を受信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含む、
入手サブユニット1612と、
第1の端末状況情報、第2の端末状況情報、および第2のチャネル状態情報を受信サブユニット1611から受信し、第1のチャネル状態情報を入手サブユニット1612から受信し、第1の端末状況情報、第1のチャネル状態情報、第2の端末状況情報、および第2のチャネル状態情報に従って伝送モード情報を構成するように構成された構成サブユニット1614と
含むことができる。
【０１７７】
前述の実施形態において、第1のネットワーク側デバイスが、周波数分割複信モードにおいて端末と通信する時に、端末は、
第1のネットワーク側デバイスから端末へのチャネルの状態情報を入手するように構成された入手ユニット
をさらに含む。
【０１７８】
送信ユニットは、第1のネットワーク側デバイスから端末へのチャネルの状態情報を入手ユニットから受信し、第1のネットワーク側デバイスから端末へのチャネルの状態情報を第1のネットワーク側デバイスに送信するようにさらに構成される。
【０１７９】
第1のネットワーク側デバイスの受信サブユニット1611は、端末によって送信された、第1のネットワーク側デバイスから端末へのチャネルの状態情報を受信するようにさらに構成される。
【０１８０】
さらに、オプションで、図20内に示されているように、入手ユニット161は、
伝送モード情報を構成サブユニットから受信し、伝送モード情報を第2のネットワーク側デバイスに送信するように構成された送信サブユニット1613
をさらに含む。
【０１８１】
オプションで、図21内に示されているように、第1のネットワーク側デバイスの入手ユニット161は、
端末によって送信された第1の端末状況情報を受信するように構成された受信サブユニット1611であって、第1の端末状況情報は、端末の第1のバッファ状況と端末が全二重通信をサポートすることを示す情報とを含む、受信サブユニット1611と、
第1のチャネル状態情報を入手するように構成された入手サブユニット1612であって、第1のチャネル状態情報は、第1のネットワーク側デバイスから端末へのチャネルの状態情報と端末から第1のネットワーク側デバイスへのチャネルの状態情報とを含む、入手サブユニット1612と、
第2のネットワーク側デバイスが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、第1の端末状況情報を受信サブユニットから受信し、第1のチャネル状態情報を入手サブユニットから受信し、第1の端末状況情報および第1のチャネル状態情報を第2のネットワーク側デバイスに送信するように構成された送信サブユニット1613であって、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含む、送信サブユニット1613と
を含むことができる。
【０１８２】
受信サブユニットは、第2のネットワーク側デバイスによって送信された伝送モード情報を受信するようにさらに構成される。
【０１８３】
前述の実施形態において、第1のネットワークデバイスが、周波数分割複信モードにおいて端末と通信する時に、端末は、
第1のネットワーク側デバイスから端末へのチャネルの状態情報を入手するように構成された入手ユニット
をさらに含む。
【０１８４】
送信ユニットは、第1のネットワーク側デバイスから端末へのチャネルの状態情報を入手ユニットから受信し、第1のネットワーク側デバイスから端末へのチャネルの状態情報を第1のネットワーク側デバイスに送信するようにさらに構成される。
【０１８５】
第1のネットワーク側デバイスの受信サブユニット1611は、端末によって送信された、第1のネットワーク側デバイスから端末へのチャネルの状態情報を受信するようにさらに構成される。
【０１８６】
前述の実施形態において、端末が、第1のセルと第2のセルとのオーバーラップエリア内に配置されている時には、第1のネットワーク側デバイスが第1の時間期間内に端末とのアップリンク情報伝送を実行し、第2のネットワーク側デバイスが第2の時間期間内に端末とのダウンリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。さらに、第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【０１８７】
本発明の別の実施形態は、前述の方法実施形態において第2のネットワーク側デバイスによって実施されるデータ伝送方法を実行するために第2のネットワーク側デバイス220を提供し、ネットワーク側デバイスは、図2内に示された高周波通信システムすなわち、少なくとも1つの端末UE1および少なくとも2つのネットワーク側デバイスを含む高周波通信システムに適用される。少なくとも2つのネットワーク側デバイスは、第1のネットワーク側デバイスP1および第2のネットワーク側デバイスP2を含み、第1のネットワーク側デバイスP1に対応する第1のセルは、第2のネットワーク側デバイスP2に対応する第2のセルに隣接し、少なくとも1つの端末UE1は、第1のセルと第2のセルとのオーバーラップエリア内に配置される。第1のネットワーク側デバイスは、第1の時間期間内に、端末によって送信されたアップリンク情報を受信する。
【０１８８】
図22内に示されているように、第2のネットワーク側デバイス220は、
伝送モード情報を入手するように構成された入手ユニット221であって、伝送モード情報は、第2の時間期間内に端末にダウンリンク情報を送信するように第2のネットワーク側デバイスに指示するのに使用される、入手ユニット221と、
伝送モード情報を入手ユニット221から受信し、伝送モード情報に従って第2の時間期間内に端末にダウンリンク情報を送信するように構成された送信ユニット222と
を含む。
【０１８９】
第1の時間期間および第2の時間期間は、同一の時間期間である。
【０１９０】
オプションで、伝送モード情報は、端末によって送信され、第1の時間期間内に第1のネットワーク側デバイスによって受信され、第1のネットワーク側デバイスによって送信されるアップリンク情報を受信するように第2のネットワーク側デバイスに指示するのにさらに使用され、ネットワーク側デバイスは、
伝送モード情報を入手ユニット221から受信し、伝送モード情報に従って、端末によって送信され、第1の時間期間内に第1のネットワーク側デバイスによって受信され、第1のネットワーク側デバイスによって送信されたアップリンク情報を受信するように構成された受信ユニット223
をさらに含む。
【０１９１】
さらに、オプションで、伝送モード情報は、第1のネットワーク側デバイスによって送信され、第2の時間期間内に第2のネットワーク側デバイスによって端末に送信されるダウンリンク情報を受信するように第2のネットワーク側デバイスに指示するのにさらに使用され、ネットワーク側デバイスは、
伝送モード情報を入手ユニット221から受信し、伝送モード情報に従って、第1のネットワーク側デバイスによって送信され、第2の時間期間内に第2のネットワーク側デバイスによって端末に送信されるダウンリンク情報を受信するように構成された受信ユニット223
をさらに含む。
【０１９２】
さらに、高周波通信システムは、コントローラをさらに含み、図23内に示されているように、入手ユニット221は、
端末によって送信された第2の端末状況情報を受信するように構成された受信サブユニット2211であって、第2の端末状況情報は、端末の第2のバッファ状況と端末が全二重通信をサポートすることを示す情報とを含む、受信サブユニット2211と、
第2のチャネル状態情報を入手するように構成された入手サブユニット2212であって、第2のチャネル状態情報は、第2のネットワーク側デバイスから端末へのチャネルの状態情報と端末から第2のネットワーク側デバイスへのチャネルの状態情報とを含む、入手サブユニット2212と、
コントローラが、第2の端末状況情報、第2のチャネル状態情報、第1の端末状況情報、および第1のチャネル状態情報に従って伝送モード情報を構成し、伝送モード情報を第2のネットワーク側デバイスに送信するようにするために、第2の端末状況情報を受信サブユニット2211から受信し、第2のチャネル状態情報を入手サブユニット2212から受信し、第2の端末状況情報および第2のチャネル状態情報をコントローラに送信するように構成された送信サブユニット2213であって、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含む、送信サブユニット2213と
を含む。
【０１９３】
受信サブユニット2211は、コントローラによって送信された伝送モード情報を受信するようにさらに構成される。
【０１９４】
前述の実施形態において、第2のネットワーク側デバイスが端末と周波数分割複信モードにおいて通信する時に、端末は、
第2のネットワーク側デバイスから端末へのチャネルの状態情報を入手するように構成された入手ユニット
をさらに含む。
【０１９５】
送信ユニットは、第2のネットワーク側デバイスから端末へのチャネルの状態情報を入手ユニットから受信し、第2のネットワーク側デバイスから端末へのチャネルの状態情報を第2のネットワーク側デバイスに送信するようにさらに構成される。
【０１９６】
第2のネットワーク側デバイスの受信サブユニット2211は、端末によって送信された、第2のネットワーク側デバイスから端末へのチャネルの状態情報を受信するようにさらに構成される。
【０１９７】
オプションで、図24内に示されているように、第2のネットワーク側デバイスの入手ユニット221は、
端末によって送信された第2の端末状況情報を受信するように構成された受信サブユニット2211であって、第2の端末状況情報は、端末の第2のバッファ状況と端末が全二重通信をサポートすることを示す情報とを含む、受信サブユニット2211と、
第2のチャネル状態情報を入手するように構成された入手サブユニット2212であって、第2のチャネル状態情報は、第2のネットワーク側デバイスから端末へのチャネルの状態情報と端末から第2のネットワーク側デバイスへのチャネルの状態情報とを含む、入手サブユニット2212であって、
受信サブユニット2211は、第1のネットワーク側デバイスによって送信された第1の端末状況情報および第1のチャネル状態情報を受信するようにさらに構成され、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含む
入手サブユニット2212と、
第2の端末状況情報、第1の端末状況情報、および第1のチャネル状態情報を受信サブユニット2211から受信し、第2のチャネル状態情報を入手サブユニット2212から受信し、第1の端末状況情報、第1のチャネル状態情報、第2の端末状況情報、および第2のチャネル状態情報に従って伝送モード情報を構成するように構成された構成サブユニット2214と
を含むことができる。
【０１９８】
前述の実施形態において、第2のネットワーク側デバイスが、周波数分割複信モードにおいて端末と通信する時に、端末は、
第2のネットワーク側デバイスから端末へのチャネルの状態情報を入手するように構成された入手ユニット
をさらに含む。
【０１９９】
送信ユニットは、第2のネットワーク側デバイスから端末へのチャネルの状態情報を入手ユニットから受信し、第2のネットワーク側デバイスから端末へのチャネルの状態情報を第2のネットワーク側デバイスに送信するようにさらに構成される。
【０２００】
第2のネットワーク側デバイスの受信サブユニット2211は、端末によって送信された、第2のネットワーク側デバイスから端末へのチャネルの状態情報を受信するようにさらに構成される。
【０２０１】
さらに、オプションで、入手ユニット2211は、
伝送モード情報を構成サブユニットから受信し、伝送モード情報を第1のネットワーク側デバイスに送信するように構成された送信サブユニット2213
をさらに含む。
【０２０２】
オプションで、図25内に示されているように、第2のネットワーク側デバイスの入手ユニット221は、
端末によって送信された第2の端末状況情報を受信するように構成された受信サブユニット2211であって、第2の端末状況情報は、端末の第2のバッファ状況と端末が全二重通信をサポートすることを示す情報とを含む、受信サブユニット2211と、
第2のチャネル状態情報を入手するように構成された入手サブユニット2212であって、第2のチャネル状態情報は、第2のネットワーク側デバイスから端末へのチャネルの状態情報と端末から第2のネットワーク側デバイスへのチャネルの状態情報とを含む、入手サブユニット2212と、
第1のネットワーク側デバイスが、第2の端末状況情報、第2のチャネル状態情報、第1の端末状況情報、および第1のチャネル状態情報に従って伝送モード情報を構成し、伝送モード情報を第2のネットワーク側デバイスに送信するようにするために、第2の端末状況情報を受信サブユニットから受信し、第2のチャネル状態情報を入手サブユニットから受信し、第2の端末状況情報および第2のチャネル状態情報を第1のネットワーク側デバイスに送信するように構成された送信サブユニット2213であって、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含む、送信サブユニット2213と
を含むことができる。
【０２０３】
受信サブユニットは、第1のネットワーク側デバイスによって送信された伝送モード情報を受信するようにさらに構成される。
【０２０４】
前述の実施形態において、第2のネットワーク側デバイスが、周波数分割複信モードにおいて端末と通信する時に、端末は、
第2のネットワーク側デバイスから端末へのチャネルの状態情報を入手するように構成された入手ユニット
をさらに含む。
【０２０５】
送信ユニットは、第2のネットワーク側デバイスから端末へのチャネルの状態情報を入手ユニットから受信し、第2のネットワーク側デバイスから端末へのチャネルの状態情報を第2のネットワーク側デバイスに送信するようにさらに構成される。
【０２０６】
第2のネットワーク側デバイスの受信サブユニット2211は、端末によって送信された、第2のネットワーク側デバイスから端末へのチャネルの状態情報を受信するようにさらに構成される。
【０２０７】
前述の実施形態において、端末が、第1のセルと第2のセルとのオーバーラップエリア内に配置されている時には、第2のネットワーク側デバイスが第2の時間期間内に端末とのダウンリンク情報伝送を実行し、第1のネットワーク側デバイスが第1の時間期間内に端末とのアップリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。さらに、第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【０２０８】
本発明の実施形態は、端末260を提供し、端末260は、図2内に示された高周波通信システムすなわち、少なくとも1つの端末UE1および少なくとも2つのネットワーク側デバイスを含む高周波通信システムに適用される。少なくとも2つのネットワーク側デバイスは、第1のネットワーク側デバイスP1および第2のネットワーク側デバイスP2を含み、第1のネットワーク側デバイスP1に対応する第1のセルは、第2のネットワーク側デバイスP2に対応する第2のセルに隣接し、少なくとも1つの端末UE1は、第1のセルと第2のセルとのオーバーラップエリア内に配置される。
【０２０９】
図26内に示されているように、端末260は、受信器261、送信器262、メモリ263、プロセッサ264、およびバス265を含み、受信器261、送信器262、メモリ263、およびプロセッサ264は、バス265を使用することによって接続され、相互通信を実施し、メモリ263は、プロセッサ264によって処理されるデータを記憶するように構成される。
【０２１０】
バス265は、インダストリスタンダードアーキテクチャ(英語:Industry Standard Architecture、略してISA)バス、ペリフェラルコンポーネントインターコネクト(英語:Peripheral Component Interconnect、略してPCI)バス、エクステンデッドインダストリスタンダードアーキテクチャ(英語:Extended Industry Standard Architecture、略してEISA)バス、または類似物とされ得る。これは、本明細書において限定されない。バス265は、アドレスバス、データバス、制御バス、および類似物に分類され得る。表現のたやすさのために、バス265は、図26内では1つの太い線のみを使用して表現されているが、これは、1つだけのバスまたは1タイプのバスが存在することを意味しない。
【０２１１】
メモリ263は、データまたは実行可能プログラムコードを記憶するように構成され、プログラムコードは、コンピュータ動作命令を含み、具体的にはオペレーティングシステム、アプリケーションプログラム、または類似物とされ得る。メモリ263は、高速RAMメモリを含むことができ、あるいは、不揮発性メモリ(英語:non-volatile memory)、たとえば少なくとも1つの磁気ディスクストレージを含むことができる。
【０２１２】
プロセッサ264は、中央処理装置(英語:Central Processing Unit、略してCPU)、特定用途向け集積回路(英語:Application Specific Integrated Circuit、略してASIC)、または本発明の実施形態を実施するように構成された1つもしくは複数の集積回路とされ得る。
【０２１３】
プロセッサ264は、前述の実施形態におけるデータ伝送方法を実施するために、メモリ263内のプログラムコードを実行するように構成される。
【０２１４】
送信器262は、第1の時間期間内に第1のネットワーク側デバイスにアップリンク情報を送信するように構成される。
【０２１５】
受信器261は、第2の時間期間内に、第2のネットワーク側デバイスによって送信されたダウンリンク情報を受信するように構成される。
【０２１６】
第1の時間期間および第2の時間期間は、同一の時間期間である。
【０２１７】
オプションで、プロセッサ264は、第1の端末状況情報を入手するように構成され、第1の端末状況情報は、端末の第1のバッファ状況と端末が全二重通信をサポートすることを示す情報とを含む。
【０２１８】
送信器262は、第1の端末状況情報をプロセッサ364から受信し、第1の端末状況情報を第1のネットワーク側デバイスに送信するようにさらに構成される。
【０２１９】
オプションで、端末が、第1のネットワーク側デバイスと周波数分割複信モードにおいて通信し、
プロセッサ264は、第1のネットワーク側デバイスから端末へのチャネルの状態情報を入手するように構成され、
送信器262は、第1のネットワーク側デバイスから端末へのチャネルの状態情報をプロセッサ264から受信し、第1のネットワーク側デバイスから端末へのチャネルの状態情報を第1のネットワーク側デバイスに送信するようにさらに構成される。
【０２２０】
オプションで、プロセッサ264は、第2の端末状況情報を入手するように構成され、第2の端末状況情報は、端末の第2のバッファ状況と端末が全二重通信をサポートすることを示す情報とを含む。
【０２２１】
送信器262は、プロセッサ264から第2の端末状況情報を受信し、第2の端末状況情報を第2のネットワーク側デバイスに送信するようにさらに構成される。
【０２２２】
オプションで、端末は、第2のネットワーク側デバイスと周波数分割複信モードにおいて通信し、
プロセッサ264は、第2のネットワーク側デバイスから端末へのチャネルの状態情報を入手するように構成され、
送信器262は、第2のネットワーク側デバイスから端末へのチャネルの状態情報をプロセッサ264から受信し、第2のネットワーク側デバイスから端末へのチャネルの状態情報を第2のネットワーク側デバイスに送信するようにさらに構成される。
【０２２３】
前述の実施形態において、端末が、第1のセルと第2のセルとのオーバーラップエリア内に配置されている時には、端末が第1の時間期間内に第1のネットワーク側デバイスとのアップリンク情報伝送を実行し、端末が第2の時間期間内に第2のネットワーク側デバイスとのダウンリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。さらに、第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【０２２４】
本発明の実施形態は、第1のネットワーク側デバイス270を提供し、このネットワーク側デバイスは、図2内に示された高周波通信システムすなわち、少なくとも1つの端末UE1および少なくとも2つのネットワーク側デバイスを含む高周波通信システムに適用される。少なくとも2つのネットワーク側デバイスは、第1のネットワーク側デバイスP1および第2のネットワーク側デバイスP2を含み、第1のネットワーク側デバイスP1に対応する第1のセルは、第2のネットワーク側デバイスP2に対応する第2のセルに隣接し、少なくとも1つの端末UE1は、第1のセルと第2のセルとのオーバーラップエリア内に配置される。第2のネットワーク側デバイスは、第2の時間期間内に端末にダウンリンク情報を送信する。
【０２２５】
図27内に示されているように、第1のネットワーク側デバイス270は、受信器271、送信器272、メモリ273、プロセッサ274、およびバス275を含み、受信器271、送信器272、メモリ273、およびプロセッサ274は、バス275を使用することによって接続され、相互通信を実施し、メモリ273は、プロセッサ274によって処理されるデータを記憶するように構成される。
【０２２６】
バス275は、インダストリスタンダードアーキテクチャ(英語:Industry Standard Architecture、略してISA)バス、ペリフェラルコンポーネントインターコネクト(英語:Peripheral Component Interconnect、略してPCI)バス、エクステンデッドインダストリスタンダードアーキテクチャ(英語:Extended Industry Standard Architecture、略してEISA)バス、または類似物とされ得る。これは、本明細書において限定されない。バス275は、アドレスバス、データバス、制御バス、および類似物に分類され得る。表現のたやすさのために、バス275は、図27内では1つの太い線のみを使用して表現されているが、これは、1つだけのバスまたは1タイプのバスが存在することを意味しない。
【０２２７】
メモリ273は、データまたは実行可能プログラムコードを記憶するように構成され、プログラムコードは、コンピュータ動作命令を含み、具体的にはオペレーティングシステム、アプリケーションプログラム、または類似物とされ得る。メモリ273は、高速RAMメモリを含むことができ、あるいは、不揮発性メモリ(英語:non-volatile memory)、たとえば少なくとも1つの磁気ディスクストレージを含むことができる。
【０２２８】
プロセッサ274は、中央処理装置(英語:Central Processing Unit、略してCPU)、特定用途向け集積回路(英語:Application Specific Integrated Circuit、略してASIC)、または本発明の実施形態を実施するように構成された1つもしくは複数の集積回路とされ得る。
【０２２９】
プロセッサ274は、前述の実施形態におけるデータ伝送方法を実施するために、メモリ273内のプログラムコードを実行するように構成される。
【０２３０】
プロセッサ274は、伝送モード情報を入手するように構成され、伝送モード情報は、第1の時間期間内に、端末によって送信されたアップリンク情報を受信するように第1のネットワーク側デバイスに指示するのに使用される。
【０２３１】
受信器271は、プロセッサ274によって入手された伝送モード情報に従って、端末によって送信されたアップリンク情報を受信するように構成される。
【０２３２】
第1の時間期間および第2の時間期間は、同一の時間期間である。
【０２３３】
オプションで、伝送モード情報は、端末によって送信され、第1の時間期間内に受信されたアップリンク情報を第2のネットワーク側デバイスに送信するように第1のネットワーク側デバイスに指示するのにさらに使用され、
送信器272は、伝送モード情報をプロセッサ274から受信し、端末によって送信され、第1の時間期間内に受信ユニットによって受信されたアップリンク情報を伝送モード情報に従って第2のネットワーク側デバイスに送信するように構成される。
【０２３４】
オプションで、伝送モード情報は、第2の時間期間内に第2のネットワーク側デバイスによって端末に送信されるダウンリンク情報を第2のネットワーク側デバイスに送信するように第1のネットワーク側デバイスに指示するのにさらに使用され、
送信器272は、伝送モード情報をプロセッサ274から受信し、伝送モード情報に従って第2のネットワーク側デバイスに、第2の時間期間内に第2のネットワーク側デバイスによって端末に送信されるダウンリンク情報を送信するように構成される。
【０２３５】
さらに、オプションで、高周波通信システムは、コントローラをさらに含み、
受信器271は、端末によって送信された第1の端末状況情報を受信するように構成され、第1の端末状況情報は、端末の第1のバッファ状況と端末が全二重通信をサポートすることを示す情報とを含み、
プロセッサ274は、第1のチャネル状態情報を入手するように構成され、第1のチャネル状態情報は、第1のネットワーク側デバイスから端末へのチャネルの状態情報と端末から第1のネットワーク側デバイスへのチャネルの状態情報とを含み、
コントローラが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、送信器272は、第1の端末状況情報を受信器から受信し、第1のチャネル状態情報をプロセッサから受信し、第1の端末状況情報および第1のチャネル状態情報をコントローラに送信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、
受信器271は、コントローラによって送信された伝送モード情報を受信し、伝送モード情報をプロセッサ274に送信するようにさらに構成される。
【０２３６】
さらに、オプションで、受信器271は、端末によって送信された第1の端末状況情報を受信するように構成され、第1の端末状況情報は、端末の第1のバッファ状況と端末が全二重通信をサポートすることを示す情報とを含み、
プロセッサ274は、第1のチャネル状態情報を入手するように構成され、第1のチャネル状態情報は、第1のネットワーク側デバイスから端末へのチャネルの状態情報と端末から第1のネットワーク側デバイスへのチャネルの状態情報とを含み、
受信器271は、第2のネットワーク側デバイスによって送信された第2の端末状況情報および第2のチャネル状態情報を受信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、
プロセッサ274は、第1の端末状況情報、第2の端末状況情報、および第2のチャネル状態情報を受信器271から受信し、第1の端末状況情報、第1のチャネル状態情報、第2の端末状況情報、および第2のチャネル状態情報に従って伝送モード情報を構成するようにさらに構成される。
【０２３７】
さらに、オプションで、送信器272は、伝送モード情報をプロセッサ274から受信し、伝送モード情報を第2のネットワーク側デバイスに送信するようにさらに構成される。
【０２３８】
さらに、オプションで、受信器は、端末によって送信された第1の端末状況情報を受信するように構成され、第1の端末状況情報は、端末の第1のバッファ状況と端末が全二重通信をサポートすることを示す情報とを含み、
プロセッサ274は、第1のチャネル状態情報を入手するように構成され、第1のチャネル状態情報は、第1のネットワーク側デバイスから端末へのチャネルの状態情報と端末から第1のネットワーク側デバイスへのチャネルの状態情報とを含み、
第2のネットワーク側デバイスが、第1の端末状況情報、第1のチャネル状態情報、第2の端末状況情報、および第2のチャネル状態情報に従って伝送モード情報を構成し、伝送モード情報を第1のネットワーク側デバイスに送信するようにするために、送信器272は、第1の端末状況情報を受信器271から受信し、第1のチャネル状態情報をプロセッサ274から受信し、第1の端末状況情報および第1のチャネル状態情報を第2のネットワーク側デバイスに送信するようにさらに構成され、第2の端末状況情報は、端末の第2のバッファ状況と端末が全二重通信をサポートすることを示す情報とを含み、第2のチャネル状態情報は、第2のネットワーク側デバイスから端末へのチャネルの状態情報と端末から第2のネットワーク側デバイスへのチャネルの状態情報とを含み、
受信器271は、第2のネットワーク側デバイスによって送信された伝送モード情報を受信するようにさらに構成される。
【０２３９】
さらに、第1のネットワーク側デバイスは、周波数分割複信モードにおいて端末と通信し、
受信器271は、端末によって送信された、第1のネットワーク側デバイスから端末へのチャネルの状態情報を受信するようにさらに構成される。
【０２４０】
前述の実施形態において、端末が、第1のセルと第2のセルとのオーバーラップエリア内に配置されている時には、第1のネットワーク側デバイスが第1の時間期間内に端末とのアップリンク情報伝送を実行し、第2のネットワーク側デバイスが第2の時間期間内に端末とのダウンリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。さらに、第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【０２４１】
本発明の実施形態は、第2のネットワーク側デバイス280を提供し、ネットワーク側デバイスは、図2内に示された高周波通信システム、すなわち、少なくとも1つの端末UE1および少なくとも2つのネットワーク側デバイスを含む高周波通信システムに適用される。少なくとも2つのネットワーク側デバイスは、第1のネットワーク側デバイスP1および第2のネットワーク側デバイスP2を含み、第1のネットワーク側デバイスP1に対応する第1のセルは、第2のネットワーク側デバイスP2に対応する第2のセルに隣接し、少なくとも1つの端末UE1は、第1のセルと第2のセルとのオーバーラップエリア内に配置される。第1のネットワーク側デバイスは、第1の時間期間内に、端末によって送信されたアップリンク情報を受信する。
【０２４２】
図28内に示されているように、ネットワーク側デバイス280は、受信器281、送信器282、メモリ283、プロセッサ284、およびバス285を含み、受信器281、送信器282、メモリ283、およびプロセッサ284は、バス285を使用することによって接続され、相互通信を実施し、メモリ283は、プロセッサ284によって処理されるデータを記憶するように構成される。
【０２４３】
バス285は、インダストリスタンダードアーキテクチャ(英語:Industry Standard Architecture、略してISA)バス、ペリフェラルコンポーネントインターコネクト(英語:Peripheral Component Interconnect、略してPCI)バス、エクステンデッドインダストリスタンダードアーキテクチャ(英語:Extended Industry Standard Architecture、略してEISA)バス、または類似物とされ得る。これは、本明細書において限定されない。バス285は、アドレスバス、データバス、制御バス、および類似物に分類され得る。表現のたやすさのために、バス285は、図28内では1つの太い線のみを使用して表現されているが、これは、1つだけのバスまたは1タイプのバスが存在することを意味しない。
【０２４４】
メモリ283は、データまたは実行可能プログラムコードを記憶するように構成され、プログラムコードは、コンピュータ動作命令を含み、具体的にはオペレーティングシステム、アプリケーションプログラム、または類似物とされ得る。メモリ283は、高速RAMメモリを含むことができ、あるいは、不揮発性メモリ(英語:non-volatile memory)、たとえば少なくとも1つの磁気ディスクストレージを含むことができる。
【０２４５】
プロセッサ284は、中央処理装置(英語:Central Processing Unit、略してCPU)、特定用途向け集積回路(英語:Application Specific Integrated Circuit、略してASIC)、または本発明の実施形態を実施するように構成された1つもしくは複数の集積回路とされ得る。
【０２４６】
プロセッサ284は、前述の実施形態におけるデータ伝送方法を実施するために、メモリ283内のプログラムコードを実行するように構成される。
【０２４７】
プロセッサ284は、伝送モード情報を入手するように構成され、伝送モード情報は、第2の時間期間内に端末にダウンリンク情報を送信するように第2のネットワーク側デバイスに指示するのに使用される。
【０２４８】
送信器282は、伝送モード情報をプロセッサ284から受信し、伝送モード情報に従って第2の時間期間内に端末にダウンリンク情報を送信するように構成される。
【０２４９】
第1の時間期間および第2の時間期間は、同一の時間期間である。
【０２５０】
オプションで、伝送モード情報は、端末によって送信され、第1の時間期間内に第1のネットワーク側デバイスによって受信され、第1のネットワーク側デバイスによって送信されるアップリンク情報を受信するように第2のネットワーク側デバイスに指示するのにさらに使用され、
受信器281は、伝送モード情報をプロセッサ284から受信し、伝送モード情報に従って、端末によって送信され、第1の時間期間内に第1のネットワーク側デバイスによって受信され、第1のネットワーク側デバイスによって送信されたアップリンク情報を受信するように構成される。
【０２５１】
オプションで、伝送モード情報は、第1のネットワーク側デバイスによって送信され、第2の時間期間内に第2のネットワーク側デバイスによって端末に送信されるダウンリンク情報を受信するように第2のネットワーク側デバイスに指示するのにさらに使用され、
受信器281は、伝送モード情報をプロセッサ284から受信し、伝送モード情報に従って、第1のネットワーク側デバイスによって送信され、第2の時間期間内に第2のネットワーク側デバイスによって端末に送信されるダウンリンク情報を受信するように構成される。
【０２５２】
さらに、オプションで、高周波通信システムは、コントローラをさらに含み、
受信器281は、端末によって送信された第2の端末状況情報を受信するように構成され、第2の端末状況情報は、端末の第2のバッファ状況と端末が全二重通信をサポートすることを示す情報とを含み、
プロセッサ284は、第2のチャネル状態情報を入手するように構成され、第2のチャネル状態情報は、第2のネットワーク側デバイスから端末へのチャネルの状態情報と端末から第2のネットワーク側デバイスへのチャネルの状態情報とを含み、
コントローラが、第2の端末状況情報、第2のチャネル状態情報、第1の端末状況情報、および第1のチャネル状態情報に従って伝送モード情報を構成し、伝送モード情報を第2のネットワーク側デバイスに送信するようにするために、送信器282は、第2の端末状況情報を受信器から受信し、第2のチャネル状態情報をプロセッサから受信し、第2の端末状況情報および第2のチャネル状態情報をコントローラに送信するようにさらに構成され、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含み、
受信器281は、コントローラによって送信された伝送モード情報を受信し、伝送モード情報をプロセッサに送信するようにさらに構成される。
【０２５３】
さらに、オプションで、受信器281は、端末によって送信された第2の端末状況情報を受信するように構成され、第2の端末状況情報は、端末の第2のバッファ状況と端末が全二重通信をサポートすることを示す情報とを含み、
プロセッサ284は、第2のチャネル状態情報を入手するように構成され、第2のチャネル状態情報は、第2のネットワーク側デバイスから端末へのチャネルの状態情報と端末から第2のネットワーク側デバイスへのチャネルの状態情報とを含み、
受信器281は、第1のネットワーク側デバイスによって送信された第1の端末状況情報および第1のチャネル状態情報を受信するようにさらに構成され、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含み、
プロセッサ284は、第2の端末状況情報、第1の端末状況情報、および第1のチャネル状態情報を受信器281から受信し、第1の端末状況情報、第1のチャネル状態情報、第2の端末状況情報、および第2のチャネル状態情報に従って伝送モード情報を構成するようにさらに構成される。
【０２５４】
さらに、オプションで、送信器282は、伝送モード情報をプロセッサ284から受信し、伝送モード情報を第1のネットワーク側デバイスに送信するようにさらに構成される。
【０２５５】
さらに、オプションで、受信器は、端末によって送信された第2の端末状況情報を受信するように構成され、第2の端末状況情報は、端末の第2のバッファ状況と端末が全二重通信をサポートすることを示す情報とを含み、
プロセッサ284は、第2のチャネル状態情報を入手するように構成され、第2のチャネル状態情報は、第2のネットワーク側デバイスから端末へのチャネルの状態情報と端末から第2のネットワーク側デバイスへのチャネルの状態情報とを含み、
第1のネットワーク側デバイスが、第2の端末状況情報、第2のチャネル状態情報、第1の端末状況情報、および第1のチャネル状態情報に従って伝送モード情報を構成し、伝送モード情報を第2のネットワーク側デバイスに送信するようにするために、送信器282は、第2の端末状況情報を受信器281から受信し、第2のチャネル状態情報をプロセッサ284から受信し、第2の端末状況情報および第2のチャネル状態情報を第1のネットワーク側デバイスに送信するように構成され、第1の端末状況情報は、端末の第1のバッファ状況と端末が全二重通信をサポートすることを示す情報とを含み、第1のチャネル状態情報は、第1のネットワーク側デバイスから端末へのチャネルの状態情報と端末から第1のネットワーク側デバイスへのチャネルの状態情報とを含み、
受信器281は、第1のネットワーク側デバイスによって送信された伝送モード情報を受信するようにさらに構成される。
【０２５６】
さらに、第2のネットワーク側デバイスは、周波数分割複信モードにおいて端末と通信し、
受信器281は、端末によって送信された、第2のネットワーク側デバイスから端末へのチャネルの状態情報を受信するようにさらに構成される。
【０２５７】
前述の実施形態において、端末が、第1のセルと第2のセルとのオーバーラップエリア内に配置されている時には、第2のネットワーク側デバイスが第2の時間期間内に端末とのダウンリンク情報伝送を実行し、第1のネットワーク側デバイスが第1の時間期間内に端末とのアップリンク情報伝送を実行し、第1の時間期間および第2の時間期間が同一の時間期間なので、1つのネットワーク側デバイスだけが、同一の時間期間内に端末にダウンリンク情報を送信する。したがって、第2のネットワーク側デバイスによって送信されたダウンリンク情報を受信する時に、端末は、第1のネットワーク側デバイスによって送信されたダウンリンク情報によって干渉されることを防がれる、すなわち、隣接するセルの間のセル間干渉が回避される。さらに、第1のネットワーク側デバイスが、アップリンク情報伝送を独立に実行し、第2のネットワーク側デバイスが、ダウンリンク情報伝送を独立に実行するので、物理層同期化およびデータ共有が、ネットワーク側デバイスの間で実行される必要はない。さらに、2つのネットワーク側デバイスは、チャネルリソースを使用することによって第1のセルと第2のセルとのオーバーラップエリア内の端末と通信することができ、これによって、高周波通信システムのリソース容量を完全に利用するのを助ける。
【０２５８】
実施の形に関する前述の説明は、当業者が、便利で短い説明において、前述の機能モジュールの分割が例示のための例として使用されることを理解することを可能にする。実際の応用例において、前述の機能は、要件に従って異なるモジュールに割り振られ、実施され得る、すなわち、装置の内側の構造が、上で説明された機能のすべてまたは一部を実施するために異なる機能モジュールに分割され得る。前述の装置の詳細な動作プロセスについて、前述の方法実施形態内の対応するプロセスに対する参照が行われ得、詳細は、本明細書では説明されない。
【０２５９】
本願で提供される複数の実施形態において、開示される装置および方法が、他の形で実施され得ることを理解されたい。たとえば、説明される装置実施形態は、単に例である。たとえば、モジュール分割またはユニット分割は、単に論理的な機能分割であり、実際の実施態様においては他の分割とされ得る。たとえば、複数のユニットまたは構成要素が、別の装置に組み合わされまたは一体化され得、あるいは、いくつかの特徴が、無視されまたは実行されないものとされ得る。さらに、表示されまたは議論された相互結合、直接結合、または通信接続が、いくつかのインターフェースを使用することによって実施され得る。装置またはユニットの間の間接結合または通信接続は、電子的な形、機械的な形、または他の形で実施され得る。
【０２６０】
別々の部品として説明されたユニットは、物理的に別々であってもなくてもよく、ユニットとして表示された部品は、1つまたは複数の物理ユニットであってもよく、1つの位置に配置されてもよく、異なる位置に分散されてもよい。ユニットの一部またはすべてが、諸実施形態の解決策の目的を達成するための実際の必要に従って選択され得る。
【０２６１】
さらに、本発明の実施形態における機能ユニットは、1つの処理ユニットに一体化されてもよく、ユニットのそれぞれが物理的に単独で存在してもよく、あるいは、2つ以上のユニットが1つのユニットに一体化される。一体化されたユニットは、ハードウェアの形で実施され得、あるいは、ソフトウェア機能ユニットの形で実施され得る。
【０２６２】
一体化されたユニットが、ソフトウェア機能ユニットの形で実施され、独立の製品として販売されまたは使用される時に、一体化されたユニットは、可読記憶媒体内に記憶され得る。そのような理解に基づいて、本発明の技術的解決策は本質的に、または従来技術に寄与する部分、または技術的解決策のすべてもしくは一部は、ソフトウェア製品の形で実施され得る。ソフトウェア製品は、記憶媒体内に記憶され、本発明の実施形態において説明された方法のステップのすべてまたは一部を実行するようにデバイス(シングルチップマイクロコンピュータ、チップ、または類似物とされ得る)またはプロセッサ(英語:processor)に指示するための命令を含む。前述の記憶媒体は、USBフラッシュドライブ、リムーバブルハードディスク、読取専用メモリ(英語:Read-Only Memory、略してROM)、ランダムアクセスメモリ(英語:Random Access Memory、略してRAM)、磁気ディスク、または光ディスクなど、プログラムコードを記憶することのできるすべての媒体を含む。
【０２６３】
前述の説明は、本発明の単に特定の実施の形であって、本発明の保護範囲を限定することは意図されていない。本発明において開示される技術的範囲内で当業者によってたやすく考え出されるすべての変形または置換は、本発明の保護範囲に含まれなければならない。したがって、本発明の保護範囲は、特許請求の範囲の保護範囲の対象にならなければならない。
【符号の説明】
【０２６４】
140  端末
141  送信ユニット
142  受信ユニット
143  入手ユニット
160  第1のネットワーク側デバイス
161  入手ユニット
162  受信ユニット
163  送信ユニット
220  第2のネットワーク側デバイス
221  入手ユニット
222  送信ユニット
223  受信ユニット
260  端末
261  受信器
262  送信器
263  メモリ
264  プロセッサ
265  バス
270  第1のネットワーク側デバイス
271  受信器
272  送信器
273  メモリ
274  プロセッサ
275  バス
280  第2のネットワーク側デバイス
281  受信器
282  送信器
283  メモリ
284  プロセッサ
285  バス
1611  受信サブユニット
1612  入手サブユニット
1613  送信サブユニット
1614  構成サブユニット
2211  受信サブユニット
2212  入手サブユニット
2213  送信サブユニット
2214  構成サブユニット
P1  第1のネットワーク側デバイス
P2  第2のネットワーク側デバイス
P3  第3のネットワーク側デバイス
P4  第4のネットワーク側デバイス
P5  第5のネットワーク側デバイス
UE1  端末
UE2  端末
【図１】
0006474898.tif 000002
【図２】
0006474898.tif 000003
【図３】
0006474898.tif 000004
【図４】
0006474898.tif 000005
【図５】
0006474898.tif 000006
【図６】
0006474898.tif 000007
【図７】
0006474898.tif 000008
【図８】
0006474898.tif 000009
【図９】
0006474898.tif 000010
【図１０】
0006474898.tif 000011
【図１１】
0006474898.tif 000012
【図１２】
0006474898.tif 000013
【図１３】
0006474898.tif 000014
【図１４】
0006474898.tif 000015
【図１５】
0006474898.tif 000016
【図１６】
0006474898.tif 000017
【図１７】
0006474898.tif 000018
【図１８】
0006474898.tif 000019
【図１９】
0006474898.tif 000020
【図２０】
0006474898.tif 000021
【図２１】
0006474898.tif 000022
【図２２】
0006474898.tif 000023
【図２３】
0006474898.tif 000024
【図２４】
0006474898.tif 000025
【図２５】
0006474898.tif 000026
【図２６】
0006474898.tif 000027
【図２７】
0006474898.tif 000028
【図２８】
0006474898.tif 000029